(57)【要約】      （修正有）【課題】放送番組内で告知される情報を電子番組表から容易に把握できる。【解決手段】電子番組情報および／または電子番組情報に含まれる番組内で告知される情報を提供する放送関連情報配信装置としての放送局１０または放送局サーバ７０と、放送関連情報配信装置から受信した情報に基づいて、電子番組情報を取得する電子番組情報取得部、電子番組情報取得部で取得した電子番組情報に含まれる情報、もしくは当該電子番組情報と共に送信されてきたデータから放送番組内で告知される情報を取得する告知情報取得部、電子番組情報を出力する際に、告知情報取得部が取得した告知される情報に係る放送番組の情報を含む電子番組情報を選択して出力する告知情報出力部、を少なくとも備えた情報受信装置としての受信機３０Ａと、を備える情報配信システムとする。【選択図】図３５
2010226149.tif 000002
【特許請求の範囲】
【請求項１】
電子番組情報および／または上記電子番組情報に含まれる番組内で告知される情報を提供する放送関連情報配信装置と、
上記放送関連情報配信装置から受信した情報に基づいて、上記電子番組情報を取得する電子番組情報取得部、
上記電子番組情報取得部で取得した上記電子番組情報に含まれる情報、もしくは当該電子番組情報と共に送信されてきたデータから放送番組内で告知される情報を取得する告知情報取得部、
上記電子番組情報を出力する際に、上記告知情報取得部が取得した上記告知される情報に係る上記放送番組の情報を含む上記電子番組情報を選択して出力する告知情報出力部、
を少なくとも備えた情報受信装置と、
を備えたことを特徴とする情報配信システム。
【請求項２】
請求項１記載の情報配信システムにおいて、
前記放送関連情報配信装置は、前記電子番組情報を提供するサーバ、もしくは放送局である、
ことを特徴とする情報配信システム。
【請求項３】
請求項１または２記載の情報配信システムにおいて、
前記放送関連情報配信装置は、前記情報受信装置からの要求にしたがって前記告知する情報を提供する手段を備える、
ことを特徴とする情報配信システム。
【請求項４】
請求項１または２記載の情報配信システムにおいて、
前記放送関連情報配信装置は、前記情報受信装置に対して、前記電子番組情報および／または前記電子番組情報に含まれる番組内で告知される情報として懸賞情報を提供する、
ことを特徴とする情報配信システム。
【請求項５】
請求項１ないし３のいずれか１項記載の情報配信システムにおいて、
前記放送関連情報配信装置は、前記告知される情報に係る検索情報を送信し、
前記情報受信装置は、上記検索情報に基づいて前記告知される情報のいずれかを選択する、
ことを特徴とする情報配信システム。
【請求項６】
請求項４記載の情報配信システムにおいて、
前記告知される情報が前記懸賞情報であるときに、前記検索情報として、リアルタイムの応募期間を有するか否か、懸賞商品名、応募方法、応募期間を含む、
ことを特徴とする情報配信システム。
【発明の詳細な説明】
【技術分野】
【０００１】
本発明は、情報配信システムに関する。
【背景技術】
【０００２】
近年、地上デジタル放送、ＢＳ（Ｂｒｏａｄｃａｓｔｉｎｇ  ｓａｔｅｌｌｉｔｅ）などのデジタル放送において、放送する番組内容を示す電子番組表（ＥＰＧ：Ｅｌｅｃｔｒｏｎｉｃ  Ｐｒｏｇｒａｍ  Ｇｕｉｄｅ、以下、単に「ＥＰＧ」という）が知られている。このＥＰＧ情報を活用することで、視聴者側の利便性を高めるべく、様々な提案がなされている。たとえば、このＥＰＧ情報を用いて、提供される番組連動型の放送データのみ予約印刷する、または番組の動画データとは独立して別々に予約印刷することが提案されている（特許文献１参照）。
【０００３】
また、このＥＰＧ情報を用いて、車載型のデジタル放送受信機で番組を視聴する際に、視聴者毎にグループ分けされた固有の電子番組表を表示させると共に、受信感度に応じた情報を当該固有の電子番組表に反映させることが提案されている（特許文献２参照）。
【０００４】
また、ＡＤＭＳ（ＴＶ−Ａｓａｈｉ  Ｄａｔａ  Ａｎｄ  Ｍｕｌｔｉｍｅｄｉａ  Ｓｅｒｖｉｃｅ）−ＥＰＧやｉＥＰＧなど、ＥＰＧ情報をインターネット経由で提供するものも知られており、インターネット経由で受信したＥＰＧ情報と放送波から受信したＥＰＧ情報とを受信した場合の制御についての提案もなされている（特許文献３参照）。
【先行技術文献】
【特許文献】
【０００５】
【特許文献１】特開２００７−２３５６３９号公報（要約、段落[００１３]等）
【特許文献２】特開２００７−８９２２０号公報（要約、段落[０００７]等）
【特許文献３】特開２００８−２５２４４７号公報（要約等）
【発明の概要】
【発明が解決しようとする課題】
【０００６】
しかしながら、特許文献１〜３に開示される技術では、視聴者は、たとえば放送が予定されている番組内で懸賞やプレゼントの告知がある場合に、その事実をＥＰＧ情報から知ることができない。また、視聴者は、番組内で懸賞の告知がある場合に、その懸賞の応募期間がたとえば番組放送中だけのリアルタイム性の高いものであるとか、応募締め切りがいつまでといった情報を知ることができない。また、番組を録画予約する際にも、録画予約をしようとする人は、当該予約をしようとしている番組についての懸賞の有無、更には懸賞がある場合の応募期間などの情報を知ることができない。したがって、録画した番組を後で視聴する際に、懸賞に応募したくても、懸賞の応募期間が経過しており、懸賞に応募できない場合もある。
【０００７】
そこで、本発明は、上述した課題に鑑み、放送番組内で告知される情報を電子番組表から容易に把握できる情報配信システムを提供することを目的とする。
【課題を解決するための手段】
【０００８】
本発明の情報配信システムは、電子番組情報および／または電子番組情報に含まれる番組内で告知される情報を提供する放送関連情報配信装置と、放送関連情報配信装置から受信した情報に基づいて、電子番組情報を取得する電子番組情報取得部、電子番組情報取得部で取得した電子番組情報に含まれる情報、もしくは当該電子番組情報と共に送信されてきたデータから放送番組内で告知される情報を取得する告知情報取得部、電子番組情報を出力する際に、告知情報取得部が取得した告知される情報に係る放送番組の情報を含む電子番組情報を選択して出力する告知情報出力部、を少なくとも備える情報受信装置と、を備えるものである。
【０００９】
たとえば、放送関連情報配信装置は、電子番組情報を提供するサーバ、もしくは放送局である。
【００１０】
また、放送関連情報配信装置は、情報受信装置からの要求にしたがって告知する情報を提供する手段を備えることが好ましい。
【００１１】
さらに、放送関連情報配信装置は、情報受信装置に対して、電子番組情報および／または電子番組情報に含まれる番組内で告知される情報として懸賞情報を提供することが好ましい。
【００１２】
また、放送関連情報配信装置は、告知される情報に係る検索情報を送信し、情報受信装置は、検索情報に基づいて告知される情報のいずれかを選択することができる。
【００１３】
また、告知される情報が懸賞情報であるときに、検索情報として、たとえば、リアルタイムの応募期間を有するか否か、懸賞商品名、応募方法、応募期間を含む。
【発明の効果】
【００１４】
本発明によれば、放送番組内で告知される情報を電子番組表から容易に把握できる情報配信システムを提供することができる。
【図面の簡単な説明】
【００１５】
【図１】本発明の第１実施形態に係る情報配信システムの全体構成を示すシステム構成図である。
【図２】図１に示す放送局の有する放送送信装置の構成を示すブロック図である。
【図３】図１に示す放送受信装置の全体構成を示すブロック図である。
【図４】懸賞情報のデータ列の一例を示す図である。
【図５】図１に示す放送送信装置で行う放送配信処理のフローチャートである。
【図６】図１に示す放送受信装置で行う画面表示処理のフローチャートである。
【図７】図１に示す放送受信装置で行う懸賞情報表示処理のフローチャートである。
【図８】図１に示す放送受信装置で行う懸賞情報表示処理のフローチャートである。
【図９】図１に示す放送受信装置で行うユーザ設定処理のフローチャートである。
【図１０】図９に示すユーザ設定処理を反映させた画面表示処理のフローチャートである。
【図１１】図１に示す放送受信装置で行う応募情報表示処理のフローチャートである。
【図１２】図１に示す放送受信装置で行う懸賞情報検索表示処理のフローチャートである。
【図１３】図１に示す放送受信装置で行う懸賞情報検索表示処理のフローチャートである。
【図１４】図１に示す放送受信装置で行う懸賞情報検索表示処理のフローチャートである。
【図１５】図１に示す放送受信装置で行う懸賞情報検索表示処理のフローチャートである。
【図１６】図１に示す放送受信装置で行う懸賞情報検索表示処理のフローチャートである。
【図１７】図１に示す放送受信装置で行う懸賞情報検索表示処理のフローチャートである。
【図１８】図３に示す表示装置で表示される画面表示例その１を示す図である。
【図１９】図３に示す表示装置で表示される画面表示例その２を示す図であると共に、図３６に示す表示装置に表示される画面表示例その３を示す図である。
【図２０】図３に示す表示装置で表示される画面表示例その３を示す図であると共に、図３６に示す表示装置に表示される画面表示例その４を示す図である。
【図２１】図３に示す表示装置で表示される画面表示例その４を示す図である。
【図２２】図３に示す表示装置で表示される画面表示例その５を示す図である。
【図２３】図３に示す表示装置で表示される画面表示例その６を示す図である。
【図２４】図３に示す表示装置で表示される画面表示例その７を示す図である。
【図２５】図３に示す表示装置で表示される画面表示例その７を示す図である。
【図２６】図３に示す表示装置で表示される画面表示例その７を示す図である。
【図２７】図３に示す表示装置で表示される画面表示例その８を示す図である。
【図２８】図３に示す表示装置で表示される画面表示例その８を示す図である。
【図２９】図３に示す表示装置で表示される画面表示例その８を示す図である。
【図３０】図３に示す表示装置で表示される画面表示例その９を示す図である。
【図３１】図３に示す表示装置で表示される画面表示例その１０を示す図である。
【図３２】図３に示す表示装置で表示される画面表示例その１０を示す図である。
【図３３】図２に示す放送送信装置の変形例を示す図である。
【図３４】図３３に示す放送送信装置の放送配信処理のフローチャートである。
【図３５】本発明の第２実施形態に係る情報配信システムの全体構成を示すブロック図である。
【図３６】図３５に示す放送受信装置の全体構成を示すブロック図である。
【図３７】図３５に示す放送局サーバの全体構成を示すブロック図である。
【図３８】図３５に示す放送局サーバから送信される懸賞情報のデータ列の一例を示す図である。
【図３９】図３５に示す放送局サーバから送信されるＥＰＧ情報に懸賞情報が付加された例その１を示す図である。
【図４０】図３５に示す放送局サーバから送信されるＥＰＧ情報に懸賞情報が付加された例その２を示す図である。
【図４１】図３５に示す放送局サーバで行うＥＰＧ情報送信処理のフローチャートである。
【図４２】図３５に示す放送受信装置で行う懸賞情報表示処理のフローチャートである。
【図４３】図３５に示す放送受信装置で行う懸賞情報表示処理のフローチャートである。
【図４４】図３６に示す表示装置に表示される画面表示例その１を示す図である。
【図４５】図３６に示す表示装置に表示される画面表示例その２を示す図である。
【図４６】図４１に示すＥＰＧ情報送信処理の変形例を示す図である。
【図４７】図４２に示す懸賞情報表示処理の変形例を示す図である。
【発明を実施するための形態】
【００１６】
以下、本発明の実施形態について図面を参照しながら説明する。なお、以下の順に沿って説明していく。
１．情報配信システム（実施例１）の全体構成
１−１．各部の説明
１−１−１．放送送信装置の構成
１−１−２．放送受信装置の構成
１−２．各装置の処理
１−２−１．放送送信装置の懸賞情報配信処理
１−２−２−１．放送受信装置の懸賞情報表示処理その１
１−２−２−２．放送受信装置の懸賞情報表示処理その２
１−２−２−３．放送受信装置の懸賞情報表示処理その３
１−２−２−４．放送受信装置の応募情報表示処理
１−２−２−５．放送受信装置の懸賞番組検索表示処理その１
１−２−２−６．放送受信装置の懸賞番組検索表示処理その２
１−２−２−７．放送受信装置の懸賞番組検索表示処理その３
１−２−２−８．放送受信装置の懸賞番組検索表示処理その４
１−２−２−９．放送受信装置の懸賞番組検索表示処理その５
１−２−２−１０．放送受信装置の懸賞番組検索表示処理その６
１−３．懸賞情報表示例
１−３−１．表示例その１
１−３−２．表示例その２
１−３−３．表示例その３
１−３−４．表示例その４
１−３−５．表示例その５
１−３−６．表示例その６
１−３−７．表示例その７
１−３−８．表示例その８
１−３−９．表示例その９
１−３−１０．表示例その１０
１−４．実施例１の変形例
１−４−１．放送送信装置の構成
１−４−２．放送送信装置の処理
２．情報配信システム（実施例２）の全体構成
２−１．各部の説明
２−１−１．放送受信装置の構成
２−１−２．放送局サーバの構成
２−２．各装置の処理
２−２−１．放送局サーバの懸賞情報配信処理
２−２−２−１．放送受信装置の懸賞情報表示処理その１
２−２−２−２．放送受信装置の懸賞情報表示処理その２
２−４．実施例２の変形例
２−４−１．放送局サーバの構成
２−４−２．放送局サーバの配信処理
２−４−３．放送受信装置の懸賞情報表示処理
３．他の実施形態
【実施例１】
【００１７】
１．情報配信システム１（実施例１：ＥＰＧに懸賞情報含む）の全体構成
まず、本発明の第１実施形態に係る情報配信システム１について説明する。図１は、本発明の第１実施形態に係る情報配信システム１の全体構成を示すシステム構成図である。図１に示すように、情報配信システム１は、放送局１０と、放送受信装置３０とを有している。なお、図１には、１つの放送局１０および２つの放送受信装置３０を図示したが、情報配信システム１には、複数の放送局１０および３以上の放送受信装置３０を有してもよい。
【００１８】
放送局１０は、放送スケジュールに沿って放送番組用のコンテンツをストリームデータとして送出する。また、放送局１０は、放送波にデータ放送、ＥＰＧ（Ｅｌｅｃｔｒｏｎｉｃ  Ｐｒｏｇｒａｍ  Ｇｕｉｄｅ）情報を重畳して送出することができる放送送信装置１１（図２参照）を有している。また、放送受信装置３０は、放送局１０の放送送信装置１１からの放送波を受信し、受信した放送番組の映像、音声出力やＥＰＧ情報の出力を行う。
【００１９】
１−１．各部の説明
１−１−１．放送送信装置の構成
図２は、図１に示す放送局１０が有する放送送信装置１１の構成を示すブロック図である。図２に示すように、放送送信装置１１は、制御部１２、コンテンツストリーム作成部１３、ＥＰＧ情報作成部１４、データ放送作成部１５、ＭＵＸ（ＭＵｌｔｉｐｌｅＸｅｒ）部１６、放送用コンテンツデータベース（以下データベースをＤＢと記す）１７、放送スケジュールＤＢ１８、データ放送用コンテンツＤＢ１９を主要な構成要素としている。なお、放送送信装置１１は、請求項の放送配信装置に対応している。
【００２０】
ここで、上述したコンテンツストリーム作成部１３、ＥＰＧ情報作成部１４、データ放送作成部１５、ＭＵＸ部１６の各機能が実現する情報処理は、放送送信装置１１全体を制御する制御部１２がハードウェア資源と協働して実行することにより実現される。具体的には、制御部１２は、不図示のハードウェア資源であるＣＰＵ(Central Processing Unit)などから構成され、ＣＰＵが不図示のＲＯＭ(Read Only Memory)に格納されている各種プログラムを不図示のＲＡＭ(Random  Access Memory)に読み出して協働して実行することにより実現している。また、上述した放送用コンテンツＤＢ１７、放送スケジュールＤＢ１８、データ放送用コンテンツＤＢ１９は不図示の記憶部に記憶されており、記憶部は、たとえばＨＤＤ（Ｈａｒｄ  Ｄｉｓｃ  Ｄｒｉｖｅ）やフラッシュメモリなどから構成される。
【００２１】
コンテンツストリーム作成部１３は、放送用コンテンツＤＢ１７を参照して放送用コンテンツを作成する。なお、本実施例において、放送用コンテンツは、ＭＰＥＧ２−ＴＳ（Ｍｏｔｉｏｎ  Ｐｈｏｔｏｇｒａｐｈｉｃ  Ｃｏｄｅｉｎｇ  Ｅｘｐｅｒｔｓ  Ｇｒｏｕｐｅ−２  Ｔｒａｎｓｐｏｒｔ  Ｓｔｒｅａｍ）規格に準拠して符号化及び多重化されているものとして説明する。ＭＰＥＧ２−ＴＳ規格では、伝送されるコンテンツの映像及び音声等は、符号化されたＥＳ（Ｅｌｅｍｅｎｔａｒｙ  Ｓｔｒｅａｍ）として生成され、ＥＳを意味のある単位毎にパケット化されたＰＥＳ（Ｐａｃｋｅｔｉｚｅｄ  Ｅｌｅｍｅｎｔａｒｙ  Ｓｔｒｅａｍ）が生成される。さらに、ＰＥＳを分割したＴＳ（Ｔｒａｎｓｐｏｒｔ  Ｓｔｒｅａｍ）パケットが、放送局１０から伝送される。
【００２２】
また、各ＴＳパケットのヘッダにＰＩＤと呼ばれる１３ビットのパケット識別子を付与することにより、各ＴＳパケットが、放送用コンテンツの映像データ、音声データ、制御データ等のいずれであるのか分類することができる。
【００２３】
また、ここでいう制御データとは、ＳＩ／ＰＳＩ（Ｓｅｒｖｉｃｅ  Ｉｎｆｏｒｍａｔｉｏｎ／Ｐｒｏｇｒａｍ  Ｓｐｅｃｉｆｉｃ  Ｉｎｆｏｒｍａｔｉｏｎ）と呼ばれるデータを指している。ＳＩ／ＰＳＩのＳＩは、ＥＰＧ情報を作成するために必要な情報等を含み、ＰＳＩは、基本的な制御をするための情報を含む制御データのことである。なお、ＴＳパケットには、放送局１０の意図に反する視聴を防止するための暗号化処理（以下、「スクランブル処理」という）が施されていてもよい。ここで、スクランブル処理の方式としてたとえば、Ｍｕｌｔｉ２を使用することができる。このＭｕｌｔｉ２は、デジタルデータを暗号化する方式の一つであり、ＢＳデジタル放送や地上デジタル放送などでも広く採用されている。なお、放送用コンテンツＤＢ１７には、上述した放送用コンテンツ１７ａが記憶されている。
【００２４】
ＥＰＧ情報作成部１４は、放送スケジュールＤＢ１８を参照してＥＰＧ情報を作成する機能を有する。放送スケジュールＤＢ１８には、放送局１０が放送する番組の放送スケジュール情報が記憶されている。なお、放送スケジュールＤＢ１８に、他の放送局１０が放送する番組の放送スケジュール情報が記憶されていてもよい。
【００２５】
データ放送作成部１５は、データ放送用コンテンツＤＢ１９から例えば天気予報や番組に関連した情報等のデータ放送を作成する。なお、データ放送も、上述した放送用コンテンツ１７ａと同様にＭＰＥＧ２−ＴＳ規格に準拠して符号化及び多重化されているものとして説明する。なお、データ放送用コンテンツＤＢ１９には、天気予報や番組に関連した情報等のデータ放送以外にも、その番組に関係する放送局１０が提供するＵＲＬ（Ｕｎｉｆｏｒｍ  Ｒｅｓｏｕｒｃｅ  Ｌｏｃａｔｏｒ）情報やＰ２Ｐ（Ｐｅｅｒ  ｔｏ  Ｐｅｅｒ）方式で利用できる検索クエリ情報が記憶されていてもよい。なお、データ放送作成部１５は、これらの情報をあわせてＭＵＸ部１６に供給する。
【００２６】
ＭＵＸ部１６は、コンテンツストリーム作成部１３が放送用コンテンツＤＢ１７を参照して作成したコンテンツデータと、ＥＰＧ情報作成部１４が放送スケジュールＤＢ１８を参照して作成したＥＰＧ情報と、放送作成部２３がデータ放送用コンテンツＤＢ１９を参照して作成したデータ放送番組データとを多重化した放送データを生成する。そして、当該放送データは、放送局１０のアンテナから放送波として送出される。
【００２７】
１−１−２．放送受信装置の構成
【００２８】
続いて、放送受信装置３０について説明する。図３は、図１に示す放送受信装置３０のブロック構成を示す図である。放送受信装置３０は、たとえばＴＶ放送やラジオ放送を受信する端末であり、固定されている受信端末であるか、携帯できる移動体端末であるかを問わない。また、放送受信装置３０は、放送局１０から受信した情報を表示装置５０、音声再生装置６０へ出力する。なお、本実施形態に係る放送受信装置３０は、表示装置５０、音声再生装置６０とは別個の装置としている。しかし、これに限定するものではなく、放送受信装置３０、表示装置５０、音声再生装置６０が同じ筐体内に具備されるようなもの、例えばテレビセットとしてもよい。また、放送受信装置３０と表示装置５０とが同一の筐体内に具備され、音声再生装置６０だけが別の筐体内に具備されるような構成であっても良い。つまり、これら３つの放送受信装置３０、表示装置５０、音声再生装置６０をどのような装置内に具備するのかについては特に限定するものではない。また、放送受信装置３０には録画機能、録音機能を有していてもよい。
【００２９】
図３に示すように、放送受信装置３０は、操作入力部３１、制御部３２、チューナー３３、ＤＥＭＵＸ（ＤＥＭＵｌｔｉｐｌｅＸｅｒ）部３４、デコード部３５、映像音声出力部３６、記録部３７を主要な構成要素としている。ここで、制御部３２は、たとえば不図示のハードウェア資源であるＣＰＵなどで構成されており、記録部３７やＲＯＭなどに格納されている各種プログラムをＲＡＭに読み出して、各種演算処理を協働して実行することで、放送受信装置３０の各部の機能が行う情報処理を実現することができる。
【００３０】
操作入力部３１は、たとえばリモコンやタッチパネルで構成されるが、音声入力等ができるように構成されてもよい。また、操作入力部３１は、ユーザからの操作入力を受け付けて、制御部３２へユーザの指示を伝える。ユーザは、この操作入力部３１を操作することで、放送受信装置３０への操作入力を行うことができる。なお、放送受信装置３０への操作入力は、赤外線などの無線信号（操作信号）を介して放送受信装置３０内に設けられた操作入力部３１に入力されるようにしてもよい。操作入力部３１に入力された操作信号は、不図示のバスを介して制御部３２に入力される。また、操作入力部３１は、請求項の電子番組情報取得要求部および告知情報取得要求部として機能する。
【００３１】
制御部３２は、操作入力部３１に入力された操作信号を解析し、放送受信装置３０を構成する各部もしくはその一部の動作を制御する中央演算処理装置である。例えば、ユーザが操作入力部３１を用いてチャンネルの選局指示を入力すると、この選局指示内容を示す信号が、操作入力部３１および不図示のバスを介して制御部３２に入力される。これにより制御部３２は、不図示のバスを介してチューナー３３に対して、ユーザが選局したチャンネルへの選局指示を送信する。また、制御部３２は、請求項の電子番組情報取得部、告知情報取得部、告知情報出力部、番組選択部の一部として機能する。
【００３２】
チューナー３３は、放送局１０の放送波をアンテナで受信し、受信したＲＦ（Ｒａｄｉｏ  Ｆｒｅｑｕｅｎｃｙ）信号を復調し、誤り訂正等を行い、ＴＳパケットからなるＴＳ信号をＤＥＭＵＸ部３４へ出力する。また、チューナー３３は、請求項の電子番組情報取得部の一部、告知情報取得部の一部、番組選択部の一部として機能する。なお、図３では、チューナー３３は地上デジタル放送を受信するために１つのみ図示したが、アナログ放送も受信する場合にはアナログ放送用のチューナー３３を備えていてもよく、２つのチューナー３３を備えるようにしてもよい。なお、ＴＳ信号がスクランブル処理を施されて伝送されてきた場合には、通常の信号へと解除する処理を行うデスクランブラ部を備えていてもよい。その場合には、当該デスクランブラ部は、スクランブル処理が解除されたＴＳパケットからなるＴＳ信号を、ＤＥＭＵＸ部３４に供給するようにしてもよい。
【００３３】
ＤＥＭＵＸ部３４は、チューナー３３から出力されたＴＳパケットからなるＴＳ信号（つまり、送信側の放送送信装置１１のＭＵＸ部１６で映像や音声などの複数のストリームを多重化した放送データ）を、映像や音声などのストリームデータと、ＳＩ／ＰＳＩなどのセクション形式のデータとに分離する処理を行う。また、ＤＥＭＵＸ部３４は、請求項の電子番組情報取得部の一部、告知情報取得部の一部、番組選択部の一部として機能する。なお、ＤＥＭＵＸ部３４によって分離された各データは、制御部３２の指示にしたがい、デコード部３５に供給される。
【００３４】
デコード部３５は、制御部３２の指示にしたがい、放送用コンテンツ１７ａやＥＰＧ情報、データ放送などをデコードする。また、デコード部３５は、デコードしたこれらのデータを記録部３７に供給する。なお、デコード部３５が記録部３７に供給するデータは、映像信号、音声信号としてデコードせずに、データ信号としてそのまま供給するようにしてもよい。
【００３５】
また、デコード部３５は、上述した放送用コンテンツ１７ａやＥＰＧ情報、データ放送などに対してデコードを行って、それぞれオーディオデータ、ビデオデータ、番組データを生成する。デコードされたオーディオデータは、上述の音声再生装置６０に供給する。また、デコード部３５は、請求項の告知情報出力部の一部、番組選択部の一部として機能する。音声再生装置６０は、供給されたオーディオデータに対してＤ／Ａ変換処理を行い、音声信号として出力する。また、デコード部３５は、デコードされたビデオデータおよび番組データを、映像音声出力部３６へ供給する。
【００３６】
映像音声出力部３６は、供給された番組データを不図示のＲＡＭに格納する。映像音声出力部３６は、番組データを描画することでＥＰＧ情報を生成する。そして、映像音声出力部３６は、デコード部３５からのビデオデータに基づいた画面上に、ＥＰＧ情報に基づいた画面を合成した合成画面を生成し、表示装置５０に送出する。また、映像音声出力部３６は、請求項の告知情報出力部の一部として機能する。表示装置５０は、この合成画面を表示する。記録部３７は、制御部３２からの記録指示によりデコード部３５でデコードしたデータを記憶する。
【００３７】
１−２．各装置の処理
１−２−１．放送送信装置の懸賞情報配信処理（対応する図面：図４，５）
図４は、懸賞情報のデータ列の一例を示す図である。図４に示すように、懸賞情報のデータ列には、「放送種別」、「放送局名」、「放送開始日時」、「放送終了日時」、「番組名」、「プレゼントジャンル」、「プレゼント商品名」、「プレゼント画像」、「リアルタイムか否か」、「応募方法」、「懸賞申し込み開始日時」、「懸賞申し込み終了日時」などのフィールドが含まれている。「放送種別」のフィールドには、地上デジタル放送やＢＳデジタル放送、ＣＳ放送、ＦＭラジオ放送、ＡＭラジオ放送等の放送種別が記載される。「放送局名」のフィールドには、放送局名が記載される。「番組名」のフィールドには、当該番組のフィールド名が記載される。「放送開始時刻」、「放送終了時刻」のフィールドには、当該番組の開始時刻、終了時刻がそれぞれ記載される。「リアルタイム情報」のフィールドには、番組放送中にリアルタイム（あるいは番組放送日）に応募が締切となる懸賞かどうかの情報が記載される。「プレゼントジャンル」のフィールドには、当該プレゼントのジャンル情報が記載される。「プレゼント名」のフィールドには、当該プレゼント名が記載される。「応募方法」のフィールドには、懸賞の応募方法の種別（例えば郵送、電話、インターネット等）が記載される。「懸賞申し込み開始日時」、「懸賞終了日時」のフィールドには、それぞれ懸賞の申込開始日時、締切日時が記載される。なお、郵送の場合は、消印が有効な日が記載されてもよい。「応募方法」のフィールド以降については、複数の応募方法がある場合はそれぞれの応募方法について順次繰り返し形式でフィールドが追加されるようにしてもよい。
【００３８】
上述した懸賞情報をＥＰＧ情報に入れる場合には、例えばＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ）で規定される地上デジタル放送や、ＢＳデジタル放送のＳＩ情報中にあるＥＰＧ情報のＴＹＰＥ−Ｈを表示するための、番組表形式のデータ部分又は及び個別の番組の説明のためのデータ部分に入れることが好ましい。また、他の放送や他のＥＰＧ表示形式の場合（ワンセグ放送）の場合には、番組名や番組説明のためのテキスト情報のデータ中に懸賞情報を入れることが好ましい。また、懸賞情報は、放送受信装置３０側でテキスト検索できるよう、所定のキーワード“懸賞”、“プレゼント”といった文字列を含むようにすることが好ましい。また、応募条件を記述する場合には、“応募条件”という文字列のあとに所定の条件内容を記載することが好ましい。応募の開始、終了期間についても、同様の形式で表現を行うことが好ましい。
【００３９】
図５は、図１に示す放送送信装置１１で行う放送配信処理のフローチャートである。
【００４０】
ＳＴＡＲＴ：制御部１２は、電源がＯＮになる、または当該配信モードが選択されると放送配信処理を開始する。制御部１２は、放送配信処理が開始されると、ステップＳ１の処理へ移行する。
【００４１】
ステップＳ１：制御部１２は、懸賞のある番組か否か判断する。放送送信装置１１の制御部１２は、懸賞のある番組である場合（ステップＳ１でＹＥＳ）にはステップＳ３の処理へ移行し、懸賞のある番組でない場合（ステップＳ１でＮＯ）にはステップＳ２の処理へ移行する。
【００４２】
ステップＳ２：制御部１２は、ＥＰＧ情報を生成する。制御部１２は、ステップＳ２の処理が完了すると、ステップＳ４の処理へ移行する。
【００４３】
ステップＳ３：制御部１２は、懸賞がある旨の情報を含めてＥＰＧ情報を生成する。制御部１２は、ステップＳ３の処理が完了すると、ステップＳ４の処理へ移行する。
【００４４】
ステップＳ４：制御部１２は、送信する期間内の全ての番組について懸賞の有無をチェックする。制御部１２は、送信する期間内の全ての番組について懸賞の有無をチェックした場合（ステップＳ４でＹＥＳ）は、ステップＳ５の処理へ移行し、チェックしていない場合（ステップＳ４でＮＯ）は、ステップＳ１の処理へ戻る。
【００４５】
ステップＳ５：制御部１２は、放送コンテンツ、データ放送、ＥＰＧ情報を多重化する。制御部１２は、ステップＳ５の処理が完了すると、ステップＳ６の処理へ移行する。
【００４６】
ステップＳ６：制御部１２は、ステップＳ５で多重化した放送データを配信して放送配信処理を終了する（ＥＮＤ）。
【００４７】
このような配信処理とすることで、懸賞情報の有無がＥＰＧ情報に含まれて配信されるため、視聴者が放送番組内で告知される情報を容易に知ることができる。また、当該告知情報が放送番組の視聴するための動機付けとなり、当該放送番組の視聴率アップに寄与することができる。
【００４８】
１−２−２−１．放送受信装置の懸賞情報表示処理その１
図６は、図１に示す放送受信装置３０で行う画面表示処理のフローチャートである。
【００４９】
ＳＴＡＲＴ：制御部３２は、電源がＯＮになる、または当該表示モードが選択されると画面表示処理を開始する。制御部３２は、画面表示処理が開始されると、ステップＳ１０の処理へ移行する。
【００５０】
ステップＳ１０：制御部３２は、ＥＰＧ画面表示要求の有無を判断する。制御部３２は、ＥＰＧ画面表示の要求がある場合（ステップＳ１０でＹＥＳ）には、ステップＳ１１の処理へ移行し、要求がない場合には、ステップＳ１０の判断処理を繰り返す。
【００５１】
ステップＳ１１：制御部３２は、懸賞情報が受信済か否か判断する。懸賞情報が受信されていれば（ステップＳ１１でＹＥＳ）、ステップＳ１３の処理へ移行する。一方、制御部３２は、懸賞情報が未受信であれば（ステップＳ１１でＮＯ）、ステップＳ１２の処理へ移行する。
【００５２】
ステップＳ１２：制御部３２は、懸賞情報の受信処理を行い、ステップＳ１３の処理へ移行する。
【００５３】
ステップＳ１３：制御部３２は、ＥＰＧ画面の表示処理を行って処理を終了する（ＥＮＤ）。
【００５４】
続いて、図６に示した通常の画面表示処理に加えて、懸賞情報の有無を判断して懸賞情報を表示する処理について説明する。図７は、図１に示す放送受信装置３０で行う懸賞情報表示処理のフローチャートである。
【００５５】
ＳＴＡＲＴ：制御部３２は、電源がＯＮになる、または当該表示モードが選択されると懸賞情報表示処理を開始する。制御部３２は、懸賞情報表示処理が開始されると、ステップＳ２０の処理へ移行する。
【００５６】
ステップＳ２０：制御部３２は、ＥＰＧ画面の表示要求の有無を判断する。制御部３２は、ＥＰＧ画面の表示要求がある場合（ステップＳ２０でＹＥＳ）には、ステップＳ２１の処理へ移行し、ＥＰＧ画面の表示要求がない場合（ステップＳ２０でＮＯ）には、ステップＳ２０の判断処理を繰り返す。
【００５７】
ステップＳ２１：制御部３２は、懸賞情報は受信済であるか否かを判断する。制御部３２は、懸賞情報が受信済である場合（ステップＳ２１でＹＥＳ）には、ステップＳ２３の処理へ移行する。一方、制御部３２は、懸賞情報が未受信である場合（ステップＳ２１でＮＯ）、ステップＳ２２の処理へ移行する。
【００５８】
ステップＳ２２：制御部３２は、懸賞情報の受信処理を行い、ステップＳ２３の処理へ移行する。
【００５９】
ステップＳ２３：制御部３２は、表示要求されている番組に懸賞情報があるか否かを判断する。具体的には、制御部３２は、ＥＰＧ情報に表示される画面（表示要求された放送種別、放送局、時間帯）の中に懸賞番組があるか否かを検出する。制御部３２は、表示要求されている番組に懸賞情報がある場合（ステップＳ２３でＹＥＳ）には、ステップＳ２５の処理へ移行し、懸賞情報がない場合（ステップＳ２３でＮＯ）にはステップＳ２４の処理へ移行する。
【００６０】
ステップＳ２４：制御部３２は、通常のＥＰＧ画面を表示する。制御部３２は、ステップＳ２４の処理が完了すると、ステップＳ２６の処理へ移行する。
【００６１】
ステップＳ２５：制御部３２は、懸賞のある番組を強調表示したＥＰＧ画面を表示する。具体的には、制御部３２は、アイコンで懸賞番組があることを示したり、ＥＰＧ上の当該番組の背景色を変更したりする。制御部３２は、ステップＳ２３の処理が完了すると、ステップＳ２６の処理へ移行する。
【００６２】
ステップＳ２６：制御部３２は、表示番組の変更要求の有無を判断する。具体的には、制御部３２は、表示している時間帯の変更、日付の変更、放送局１０の変更、番組の変更等の有無を判断する。制御部３２は、表示番組の変更要求がある場合（ステップＳ２６でＹＥＳ）には、ステップＳ２３の処理へ移行し、表示番組の変更要求がない場合（ステップＳ２６でＮＯ）には、ステップＳ２６の判断処理を繰り返す。
【００６３】
このような表示処理とすることで、ＥＰＧ画面内に懸賞情報がある番組が強調表示されるため、視聴者は一目で懸賞情報の有無を把握することができる。したがって、放送番組内で告知される情報を容易に知ることができる。また、放送番組の視聴するための動機付けとなり、当該放送番組の視聴率アップに寄与することができる。
【００６４】
１−２−２−２．放送受信装置の懸賞情報表示処理その２
図８は、図１に示す放送受信装置３０で行う懸賞情報表示処理のフローチャートである。この図８に示す懸賞情報表示処理は、リアルタイム性の高い懸賞情報があるか否かの判断を行っている点が図７の懸賞情報表示処理と異なる。なお、図７の懸賞情報表示処理と同一の処理（図８のＳＴＡＲＴ、ステップＳ２０、Ｓ２１、Ｓ２２、Ｓ２３、Ｓ２４、Ｓ２５、Ｓ２６の処理）については、同一のステップ番号を付し、説明を省略する。
【００６５】
ステップＳ３０：制御部３２は、当該番組の懸賞情報の応募期間がたとえば放送時間内に限られるなどのリアルタイム性の高いものであるか否かを判断する。リアルタイムの応募の懸賞番組とは具体的には、電話やインターネット、ファックス等でリアルタイムに応募する番組を指す。例えば、クイズ番組に回答する形のものやアンケート形式のもの、リクエスト形式のものがあげられる。リアルタイムの懸賞番組は、録画あるいは録音して後から楽しむ場合にはプレゼントに応募できなくなってしまう番組である。なお、当日又は翌日消印有効の郵便による応募の番組やリアルタイムではないが、２４時間以内に応募締切となる番組もリアルタイムの懸賞番組とみなしてもよい。制御部３２は、当該番組で告知される懸賞がリアルタイム性の高いものであると判断した場合（ステップＳ３０でＹＥＳ）には、ステップＳ３１の処理へ移行し、リアルタイム性の高いものではないと判断した場合（ステップＳ３０でＮＯ）には、ステップＳ２５の処理へ移行する。なお、通常の懸賞番組について強調表示を行っている場合には、リアルタイムの懸賞番組の強調表示を通常の懸賞番組とは異なる形式（背景色、アイコン等）で表現することが好ましい。
【００６６】
ステップＳ３１：制御部３２は、ステップＳ３０でリアルタイム性の高い懸賞である番組欄を強調表示したＥＰＧ画面を表示させる。制御部３２は、ステップＳ３１の処理が完了すると、ステップＳ２６の処理へ移行する。なお、リアルタイム性の高い懸賞である番組欄の強調表示とリアルタイム性が高くはない懸賞である番組欄の強調表示は異なるような設定とすることが好ましい。
【００６７】
このような表示処理とすることで、ＥＰＧ画面内に懸賞情報がある番組が強調表示されるため、視聴者は一目で懸賞情報の有無を把握することができる。したがって、放送番組内で告知される情報を容易に知ることができる。また、特にリアルタイム性の高い懸賞情報に着目させることで、当該懸賞情報のある放送番組を視聴させることに繋がるため、視聴率アップに寄与することができる。
【００６８】
１−２−２−３．放送受信装置の懸賞情報表示処理その３
【００６９】
続いて、放送受信装置３０の懸賞情報表示処理その３について説明する。この懸賞情報表示処理では、ユーザが予め設定したユーザ設定情報に基づいて表示処理を行うものである。まず、はじめにユーザ設定処理について説明する。図９は、図１に示す放送受信装置３０で行うユーザ設定処理のフローチャートである。
【００７０】
ＳＡＴＲＴ：制御部３２は、当該設定モードが選択されるとユーザ設定処理を開始する。制御部３２は、ユーザ制御処理が開始されると、ステップＳ４０の処理へ移行する。
【００７１】
ステップＳ４０：制御部３２は、懸賞情報の表示設定要求の有無を判断する。制御部３２は、懸賞情報の表示設定の要求がある場合（ステップＳ４０でＹＥＳ）には、ステップＳ４１の処理へ移行し、要求がない場合（ステップＳ４０でＮＯ）には、ユーザ設定処理を終了する（ＥＮＤ）。
【００７２】
ステップＳ４１：制御部３２は、ステップＳ４０の要求どおりの表示方法を設定する。具体的には、制御部３２は、懸賞情報がある場合の強調表示（背景色、アイコン等）の要否や応募方法の強調表示、リアルタイム性の高い懸賞についての表現方法等の各種設定を行う。制御部３２は、ステップＳ４１の処理が完了すると、ステップＳ４２の処理へ移行する。
【００７３】
ステップＳ４２：制御部３２は、ステップＳ４１の表示方法を記憶して、ユーザ設定処理を終了する（ＥＮＤ）。
【００７４】
このようなユーザ設定処理とすることで、ＥＰＧ画面内に懸賞情報がある番組の表示方法をユーザの所望する表示方法に設定することができ、利用者に即した操作性や視認性を確保することができる。また、利用者が異なる場合には、それぞれの設定環境を記憶することもできる。
【００７５】
続いて、このユーザ設定情報に基づく懸賞情報表示処理について説明する。図１０は、図９に示すユーザ設定処理を反映させた画面表示処理のフローチャートである。なお、図７の懸賞情報表示処理と同一の処理（図１０のＳＴＡＲＴ、ステップＳ２０、Ｓ２１、Ｓ２２、Ｓ２３、Ｓ２４、Ｓ２６の処理）については、同一のステップ番号を付し、説明を省略する。
【００７６】
ステップＳ５０：制御部３２は、ステップＳ２３において、表示要求のある番組に懸賞情報がある場合には、懸賞情報の表示設定情報の有無を判断する。制御部３２は、懸賞情報の表示設定情報がある場合（ステップＳ５０でＹＥＳ）には、ステップＳ５１の処理へ移行し、懸賞情報の表示設定情報がない場合（ステップＳ５０でＮＯ）には、ステップＳ２４の処理へ移行する。なお、懸賞情報の表示設定情報の有無は、たとえば図９で説明したユーザ設定処理において記憶した懸賞情報の表示設定ファイルの有無などで判断することができる。
【００７７】
ステップＳ５１：制御部３２は、設定された内容を反映した懸賞情報を含むＥＰＧ画面を表示させて、懸賞情報表示処理を終了する（ＥＮＤ）。
【００７８】
このような表示処理とすることで、利用者が操作入力部３１などで予め設定した表示方法に即して表示されるため、利用者に即した操作性や視認性が確保される。
【００７９】
１−２−２−４．放送受信装置の応募情報表示処理
図１１は、図１に示す放送受信装置３０で行う応募情報表示処理のフローチャートである。この図１１に示す応募情報表示処理は、懸賞番組の応募方法についての判別を行っている点が図７の懸賞情報表示処理と異なる。なお、図７の懸賞情報表示処理と同一の処理（図１１のＳＴＡＲＴ、ステップＳ２０、Ｓ２１、Ｓ２２、Ｓ２３、Ｓ２４、Ｓ２５、Ｓ２６の処理）については、同一のステップ番号を付し、説明を省略する。
【００８０】
ステップＳ６０：制御部３２は、懸賞情報に応募方法の情報があるか否かを判断する。具体的には、制御部３２は、電話での応募、ホームページへのアクセス、ファックス、郵便等の情報の有無を判断する。制御部３２は、懸賞情報に応募方法の情報がある場合（ステップＳ６０でＹＥＳ）には、ステップＳ６１の処理へ移行し、懸賞情報に応募方法の情報がない場合（ステップＳ６０でＮＯ）には、ステップＳ２５の処理へ移行する。なお、送信されてきた懸賞情報に応募方法の情報があるか否かは、送信データ内にフラグ判別できるようなデータ列を追加する、または懸賞情報として送信されてきたデータ内の応募方法フィールドを参照することにより応募方法の情報の有無を判断することができる。
【００８１】
ステップＳ６１：制御部３２は、応募情報を追加し、懸賞のある番組を強調表示したＥＰＧ画面を表示させる。具体的には、制御部３２は、応募方法ごとに番組の背景色を変えることや所定のアイコンを表示するといった制御を行う。制御部３２は、ステップＳ６１の処理が完了するとステップＳ２６の処理へ移行する。
【００８２】
このような表示処理とすることで、番組内で告知される応募情報に加えて、当該懸賞の応募期限などのより詳細な応募情報を表示画面から知ることができる。
【００８３】
１−２−２−５．放送受信装置の懸賞番組検索表示処理（その１）
図１２は、図１に示す放送受信装置３０で行う懸賞番組検索表示処理（その１）のフローチャートである。この図１２に示す懸賞番組検索表示処理（その１）は、懸賞番組のみを検索して表示する点がこれまで説明した処理と異なる。
【００８４】
ＳＴＡＲＴ：制御部３２は、懸賞番組検索表示モードが選択されると懸賞番組検索表示処理（その１）を開始する。制御部３２は、懸賞番組検索表示処理（その１）が開始されると、ステップＳ７０の処理へ移行する。
【００８５】
ステップＳ７０：制御部３２は、懸賞番組検索表示要求の有無を判断する。制御部３２は、懸賞番組検索表示の要求がある場合（ステップＳ７０でＹＥＳ）には、ステップＳ７１の処理へ移行し、要求がない場合（ステップＳ７０でＮＯ）には、懸賞番組検索表示処理（その１）を終了する（ＥＮＤ）。
【００８６】
ステップＳ７１：制御部３２は、懸賞情報を受信済か否かを判断する。制御部３２は、懸賞情報を受信済の場合（ステップＳ７１でＹＥＳ）、ステップＳ７３の処理へ移行する。一方、制御部３２は、懸賞情報を未受信の場合（ステップＳ７１でＮＯ）、ステップＳ７２へ移行する。
【００８７】
ステップＳ７２：制御部３２は、懸賞情報の受信処理を行い、ステップＳ７３の処理へ移行する。なお、この受信処理は、懸賞情報を放送波から受信するまでの待機処理となる。
【００８８】
ステップＳ７３：制御部３２は、懸賞番組検索表示の要求が有るか否かを判断する。制御部３２は、ステップＳ７０で懸賞番組検索表示の要求があるときには（ステップＳ７０でＹＥＳ）、ＥＰＧ情報を参照して懸賞番組の有無を検索する。すなわち、制御部３２は、図４に示す懸賞情報データを含む番組をＥＰＧ情報の中から検索する。制御部３２は、ＥＰＧ情報に懸賞番組の情報が有れば（ステップＳ７３でＹＥＳ）、ステップＳ７５の処理に移行し、ＥＰＧ情報に懸賞番組の情報が無ければ（ステップＳ７３でＮＯ）、ステップＳ７４の処理へ移行する。
【００８９】
ステップＳ７４：制御部３２は、懸賞番組が存在しない旨の表示を行い、処理を終了する（ＥＮＤ）。
【００９０】
ステップＳ７５：制御部３２は、ＥＰＧ情報を参照した結果、懸賞番組が有れば（ステップＳ７３でＹＥＳ）、その懸賞番組の放送番組欄のみを表示するための表示処理を開始しステップＳ７６の処理へ移行する。なお、ステップＳ７５における表示処理の開始とは、特定の番組をユーザにより容易に選択できるように、たとえばリスト形式で表示する処理である。
【００９１】
ステップＳ７６：制御部３２は、ユーザがＥＰＧ情報から懸賞番組である特定の番組を選択するか否か判断する。制御部３２は、ユーザがいずれかの懸賞番組を選択するまで待機する（ステップＳ７６でＮＯ）。制御部３２は、ユーザがＥＰＧ情報から懸賞番組である特定の番組を選択したら（ステップＳ７６でＹＥＳ）ステップＳ７７へ移行する。
【００９２】
ステップＳ７７：制御部３２は、ステップＳ７６で選択された懸賞番組を表示して懸賞番組検索表示処理（その１）を終了する（ＥＮＤ）。
【００９３】
このような懸賞番組検索表示処理（その１）により、懸賞情報がある番組のみを選択して表示できるため、ユーザが番組を見逃す確率を著しく低下させることができる。また、ユーザが望んだ番組のみが選択して表示されるため、ユーザの利便性を向上させることができる。
【００９４】
１−２−２−６．放送受信装置の懸賞番組検索表示処理（その２）
図１３は、図１に示す放送受信装置３０で行う懸賞番組検索表示処理（その２）のフローチャートである。この図１３に示す懸賞番組検索表示処理（その２）は、懸賞番組のみを検索して表示する際に懸賞商品のジャンルを設定できる点が懸賞番組検索表示処理（その１）と異なる。
【００９５】
ＳＴＡＲＴ：制御部３２は、懸賞番組検索表示モードが選択されると懸賞番組検索表示処理（その２）を開始する。制御部３２は、懸賞番組検索表示処理（その２）が開始されると、ステップＳ８０の処理へ移行する。
【００９６】
ステップＳ８０：制御部３２は、ユーザによる懸賞商品のジャンルの設定要求が有るか否か判断する。制御部３２は、ユーザによる懸賞商品のジャンルの設定要求があれば（ステップ８０でＹＥＳ）、ステップＳ８１の処理へ移行する。また、制御部３２は、ユーザによる懸賞商品のジャンルの設定要求が無ければ（ステップＳ８０でＮＯ）、ステップＳ８２の処理へ移行する。
【００９７】
ステップＳ８１：制御部３２は、ユーザによる懸賞商品のジャンルの設定要求に基づき設定を行い、ステップＳ８２の処理へ移行する。
【００９８】
ステップＳ８２：制御部３２は、ユーザによる懸賞番組検索要求が有るか否か判断する。制御部３２は、懸賞番組検索表示の要求がある場合（ステップＳ８２でＹＥＳ）には、ステップＳ８３の処理へ移行し、要求がない場合（ステップＳ８２でＮＯ）には、懸賞番組検索表示処理（その２）を終了する（ＥＮＤ）。
【００９９】
ステップＳ８３：制御部３２は、懸賞情報は受信済か否か判断する。制御部３２は、懸賞情報を受信済の場合（ステップＳ８３でＹＥＳ）、ステップＳ８５の処理に移行する。一方、制御部３２は、懸賞情報を未受信の場合（ステップＳ８３でＮＯ）、ステップＳ８４の処理へ移行する。
【０１００】
ステップＳ８４：制御部３２は、懸賞情報の受信処理を行い、ステップＳ８５の処理へ移行する。なお、この受信処理は、懸賞情報を放送波から受信するまでの待機処理となる。
【０１０１】
ステップＳ８５：制御部３２は、ＥＰＧ情報から設定された商品ジャンルの条件に適合する懸賞番組の有無を検索する。すなわち、制御部３２は、図４に示す懸賞情報データを含む番組の中からさらにそのプレゼントジャンル（すなわち商品ジャンル）を検索する。制御部３２は、ＥＰＧ情報に、設定された商品ジャンルの条件に適合する懸賞番組が有れば（ステップＳ８５でＹＥＳ）、ステップＳ８７の処理へ移行し、ＥＰＧ情報に、設定された商品ジャンルの条件に適合する懸賞番組が無ければ（ステップＳ８５でＮＯ）、ステップＳ８６の処理へ移行する。
【０１０２】
ステップＳ８６：制御部３２は、懸賞番組が存在しない旨の表示を行い、懸賞番組検索表示処理（その２）を終了する（ＥＮＤ）。
【０１０３】
ステップＳ８７：制御部３２は、懸賞番組の放送番組欄のみを表示するための表示処理を開始し、ステップＳ８８の処理へ移行する。なお、ステップＳ８７における表示処理の開始とは、特定の番組をユーザにより容易に選択できるように、たとえばリスト形式で表示する処理である。
【０１０４】
ステップＳ８８：制御部３２は、ユーザがＥＰＧ情報から設定された商品ジャンルの条件に適合する懸賞番組である特定の番組を選択するか否か判断する。制御部３２は、がいずれかの懸賞番組を選択するまで待機する（ステップＳ８８でＮＯ）。制御部３２は、ユーザがＥＰＧ情報から設定された商品ジャンルの条件に適合する懸賞番組である特定の番組を選択したら（ステップＳ８８でＹＥＳ）ステップＳ８９の処理へ移行する。
【０１０５】
ステップＳ８９：制御部３２は、ステップＳ８８で選択された懸賞番組を表示して懸賞番組検索表示処理（その２）を終了する（ＥＮＤ）。
【０１０６】
このような懸賞番組検索表示処理（その２）とすることで、ＥＰＧ画面内に設定されたジャンルの条件に適合する懸賞情報がある番組のみを選択して表示できるため、ユーザが番組を見逃す確率を著しく低下させることができる。また、ユーザが望んだ番組のみが選択して表示されるため、ユーザの利便性を向上させることができる。
【０１０７】
１−２−２−７．放送受信装置の懸賞番組検索表示処理（その３）
図１４は、図１に示す放送受信装置３０で行う懸賞番組検索表示処理（その３）のフローチャートである。この図１４に示す懸賞番組検索表示処理（その３）は、懸賞番組のみを検索して表示する際に所定の条件を設定できる点が懸賞番組検索表示処理（その１）と異なる。
【０１０８】
所定の条件としては、図４に示す懸賞情報から特定できるものであれば何でもよい。たとえばリアルタイムか否かを所定の条件として設定すれば、リアルタイムである番組を検索したり、その反対に、リアルタイムではない番組を検索したりできる。あるいは、応募方法を所定の条件として設定すれば、電話応募である番組を検索したり、インターネット応募の番組を検索したりできる。
【０１０９】
ＳＴＡＲＴ：制御部３２は、懸賞番組検索表示モードが選択されると懸賞番組検索表示処理（その３）を開始する。制御部３２は、懸賞番組検索表示処理（その３）が開始されると、ステップＳ９０の処理へ移行する。
【０１１０】
ステップＳ９０：制御部３２は、ユーザによる懸賞番組の検索条件の設定要求の有無を判断する。制御部３２は、ユーザによる懸賞番組の検索条件の設定要求があれば（ステップ９０でＹＥＳ）、ステップＳ９１の処理へ移行する。また、制御部３２は、ユーザによる懸賞番組の検索条件の設定要求が無ければ（ステップＳ９０でＮＯ）、ステップＳ９２の処理へ移行する。
【０１１１】
ステップＳ９１：制御部３２は、ユーザによる懸賞番組の検索条件の設定要求に基づき設定を行い、ステップＳ９２の処理へ移行する。
【０１１２】
ステップＳ９２：制御部３２は、ユーザによる懸賞番組検索要求の有無を判断する。制御部３２は、ユーザによる懸賞番組検索の要求がある場合（ステップＳ９２でＹＥＳ）には、ステップＳ９３の処理へ移行し、要求がない場合（ステップＳ９２でＮＯ）には、懸賞番組検索表示処理（その３）を終了する（ＥＮＤ）。
【０１１３】
ステップＳ９３：制御部３２は、懸賞情報が受信済か否か判断する。制御部３２は、懸賞情報を受信済の場合（ステップＳ９３でＹＥＳ）、ステップＳ９５の処理に移行する。一方、制御部３２は、懸賞情報を未受信の場合（ステップＳ９３でＮＯ）、ステップＳ９４の処理へ移行する。
【０１１４】
ステップＳ９４：制御部３２は、懸賞情報の受信処理を行い、ステップＳ９５の処理へ移行する。なお、この受信処理は、懸賞情報を放送はから受信するまでの待機処理となる。
【０１１５】
ステップＳ９５：制御部３２は、ＥＰＧ情報から設定された所定条件に適合する懸賞番組の有無を検索する。すなわち、制御部３２は、図４に示す懸賞情報データを含む番組の中からさらに設定された所定条件に適合するデータを検索する。制御部３２は、ＥＰＧ情報に、設定された所定条件に適合する懸賞番組が有れば（ステップＳ９５でＹＥＳ）、ステップＳ９７の処理に移行し、ＥＰＧ情報に、設定された所定条件に適合する懸賞番組が無ければ（ステップＳ９５でＮＯ）、ステップＳ９６の処理へ移行する。
【０１１６】
ステップ９６：制御部３２は、懸賞情報が存在しない旨の表示を行い、懸賞番組検索表示処理（その３）を終了する（ＥＮＤ）。
【０１１７】
ステップＳ９７：制御部３２は、懸賞番組の放送番組のみを表示するための表示処理を開始し、ステップＳ９８の処理へ移行する。なお、ステップＳ９７における表示処理の開始とは、特定の番組をユーザにより容易に選択できるように、たとえばリスト形式で表示する処理である。
【０１１８】
ステップＳ９８：制御部３２は、ユーザがＥＰＧ情報から設定された所定条件に適合する懸賞番組である特定の番組を選択するか否か判断する。制御部３２は、ユーザがいずれかの懸賞番組を選択するまで待機する（ステップＳ９８でＮＯ）。制御部３２は、ユーザがＥＰＧ情報から設定された所定条件に適合する懸賞番組である特定の番組を選択したら（ステップＳ９８でＹＥＳ）ステップＳ９９の処理へ移行する。
【０１１９】
ステップＳ９９：制御部３２は、ステップＳ９８で選択された懸賞番組を表示して懸賞番組検索表示処理（その３）を終了する（ＥＮＤ）。
【０１２０】
このような懸賞番組検索表示処理（その３）とすることで、ＥＰＧ画面内に設定された所定条件に適合する懸賞情報がある番組のみを選択して表示できるため、ユーザが番組を見逃す確率を著しく低下させることができる。また、ユーザが望んだ番組のみが選択して表示されるため、ユーザの利便性を向上させることができる。
【０１２１】
１−２−２−８．放送受信装置の懸賞番組検索表示処理（その４）
図１５は、図１に示す放送受信装置３０で行う懸賞番組検索表示処理（その４）のフローチャートである。この図１５に示す懸賞番組検索表示処理（その４）は、放送受信装置３０の電源が投入された時刻に基づきその日の懸賞番組を検索できる点が他の懸賞番組検索表示処理と異なる。
【０１２２】
ＳＴＡＲＴ：制御部３２は、懸賞番組検索表示モードが選択されると懸賞番組検索表示処理（その４）を開始する。制御部３２は、懸賞番組検索表示処理（その４）が開始されると、ステップＳ１００の処理へ移行する。
【０１２３】
ステップＳ１００：制御部３２は、ユーザにより放送受信装置３０の電源が投入されるとステップＳ１０１の処理に移行する。
【０１２４】
ステップＳ１０１：制御部３２は、懸賞情報を受信済か否か判断する。制御部３２は、懸賞情報を受信済の場合（ステップＳ１０１でＹＥＳ）、ステップＳ１０３の処理に移行する。一方、制御部３２は、懸賞情報を未受信の場合（ステップＳ１０１でＮＯ）、ステップＳ１０２の処理へ移行する。
【０１２５】
ステップＳ１０２：制御部３２は、懸賞情報の受信処理を行い、ステップＳ１０３の処理へ移行する。なお、この受信処理は、懸賞情報を放送波から受信するまでの待機処理となる。
【０１２６】
ステップＳ１０３：制御部３２は、受信した懸賞情報を参照することにより、その日に懸賞番組があるか否かを判断する。制御部３２は、その日に懸賞番組が有れば（ステップＳ１０３でＹＥＳ）、ステップＳ１０５の処理に移行する。また、制御部３２は、その日に懸賞番組が無ければ（ステップＳ１０３でＮＯ）、通常表示を行い（ステップＳ１０４）、懸賞番組検索表示処理（その４）を終了する（ＥＮＤ）。
【０１２７】
ステップＳ１０５：制御部３２は、その日に懸賞番組がある旨を表示し、ステップＳ１０６の処理へ移行する。
【０１２８】
ステップＳ１０６：制御部３２は、ステップＳ１０５の処理により表示された懸賞番組に対する詳細情報の選択の有無を判断する。制御部３２は、ステップＳ１０５の処理により表示された懸賞番組のいずれかに対し、ユーザによる詳細情報の選択があれば（ステップＳ１０６でＹＥＳ）、ステップＳ１０８の処理に移行する。一方、制御部３２は、ステップＳ１０５の処理により表示された懸賞番組のいずれにもユーザによる詳細情報の選択が無ければ（ステップＳ１０６でＮＯ）、ステップＳ１０５で表示された内容を一定時間経過後に消去し（ステップＳ１０７）、懸賞番組検索表示処理（その４）を終了する（ＥＮＤ）。
【０１２９】
ステップＳ１０８：制御部３２は、ステップＳ１０６の処理でユーザが選択した懸賞番組の詳細情報を表示する処理を開始し、ステップＳ１０９の処理に移行する。なお、ステップＳ１０８における表示処理の開始とは、特定の番組をユーザにより容易に選択できるように、たとえばリスト形式で表示する処理である。
【０１３０】
ステップＳ１０９：制御部３２は、ユーザがＥＰＧ情報から本日の懸賞番組を選択するか否か判断する。制御部３２は、ユーザがいずれかの懸賞番組を選択するまで待機する（ステップＳ１０９でＮＯ）。制御部３２は、ユーザがＥＰＧ情報から本日の懸賞番組を選択したら（ステップＳ１０９でＹＥＳ）ステップＳ１１０の処理へ移行する。
【０１３１】
ステップＳ１１０：制御部３２は、ステップＳ１０９の処理で選択された懸賞番組を表示して懸賞番組検索表示処理（その４）を終了する（ＥＮＤ）。
【０１３２】
このような懸賞番組検索表示処理（その４）とすることで、その日の懸賞情報がある番組を選択して表示できるため、ユーザが番組を見逃す確率を著しく低下させることができる。また、ユーザが望んだ番組のみが選択して表示されるため、ユーザの利便性を向上させることができる。
【０１３３】
１−２−２−９．放送受信装置の懸賞番組検索表示処理（その５）
図１６は、図１に示す放送受信装置３０で行う懸賞番組検索表示処理（その５）のフローチャートである。この図１６に示す懸賞番組検索表示処理（その５）は、検索された懸賞番組が１つしかない場合には、その詳細情報を表示する点が他の懸賞番組検索表示処理と異なる。
【０１３４】
ＳＴＡＲＴ：制御部３２は、懸賞番組検索表示モードが選択されると懸賞番組検索表示処理（その５）を開始する。制御部３２は、懸賞番組検索表示処理（その５）が開始されると、ステップＳ１１１の処理へ移行する。
【０１３５】
ステップＳ１１１：制御部３２は、ユーザからの懸賞番組の表示要求の有無を判断する。制御部３２は、ユーザからの懸賞番組の表示要求があると（ステップＳ１１１でＹＥＳ）、ステップＳ１１２の処理に移行する。一方、制御部３２は、ユーザからの懸賞番組の表示要求が無ければ（ステップＳ１１１でＮＯ）、懸賞番組検索表示処理（その５）を終了する（ＥＮＤ）。
【０１３６】
ステップＳ１１２：制御部３２は、懸賞情報が受信済みか否か判断する。制御部３２は、懸賞情報を受信済の場合（ステップＳ１１２でＹＥＳ）、ステップＳ１１４の処理に移行する。一方、制御部３２は、懸賞情報を未受信の場合（ステップＳ１１２でＮＯ）、ステップＳ１１３の処理に移行する。
【０１３７】
ステップＳ１１３：制御部３２は、懸賞情報の受信処理を行い、ステップＳ１１４の処理へ移行する。なお、この受信処理は、懸賞情報を放送波から受信するまでの待機処理となる。
【０１３８】
ステップＳ１１４：制御部３２は、ＥＰＧ情報から懸賞番組の有無を確認する。その結果、懸賞番組が有れば（ステップＳ１１４でＹＥＳ）、制御部３２は、ステップＳ１１６の処理に移行する。一方、制御部３２は、懸賞番組が無ければ（ステップＳ１１４のＮＯ）、ステップＳ１１５の処理へ移行する。
【０１３９】
ステップＳ１１５：制御部３２は、懸賞番組が無い旨を表示し、懸賞番組検索表示処理（その５）を終了する（ＥＮＤ）。
【０１４０】
ステップＳ１１６：制御部３２は、ステップＳ１１４の処理で検索した懸賞番組の有無を判断する。制御部３２は、ステップＳ１１４の処理で検索した懸賞番組が１つであれば（ステップＳ１１４でＹＥＳ）、その懸賞番組の詳細情報を表示し（ステップＳ１２０）、懸賞番組検索表示処理（その５）を終了する（ＥＮＤ）。一方、制御部３２は、ステップＳ１１４の処理で検索した懸賞番組が複数であれば（ステップＳ１１６でＮＯ）、ステップＳ１１７の処理へ移行する。
【０１４１】
ステップＳ１１７：制御部３２は、現在の懸賞番組情報の表示処理を開始し、ステップＳ１１８の処理へ移行する。なお、ステップＳ１１７における表示処理の開始とは、特定の番組をユーザが容易に選択できるように、たとえばリスト形式で表示する処理である。
【０１４２】
ステップＳ１１８：制御部３２は、ユーザがＥＰＧ情報から現在の懸賞番組を選択するか否か判断する。制御部３２は、ユーザがいずれかの懸賞番組を選択するまで待機する（ステップＳ１１８でＮＯ）。制御部３２は、ユーザがＥＰＧ情報から現在の懸賞番組を選択したら（ステップＳ１１８でＹＥ）ステップＳ１１９の処理へ移行する。
【０１４３】
ステップＳ１１９：制御部３２は、ステップＳ１１８の処理で選択された懸賞番組を表示して懸賞番組検索表示処理（その５）を終了する（ＥＮＤ）。
【０１４４】
このような懸賞番組検索表示処理（その５）とすることで、現在の懸賞情報がある番組が１つしかない場合には、即座にその詳細情報を表示できるため、ユーザが番組を見逃す確率を著しく低下させることができる。また、ユーザが望んだ番組のみが選択して表示されるため、ユーザの利便性を向上させることができる。
【０１４５】
１−２−２−１０．放送受信装置の懸賞番組検索表示処理（その６）
図１７は、図１に示す放送受信装置３０で行う懸賞番組検索表示処理（その６）のフローチャートである。この図１７に示す懸賞番組検索表示処理（その６）は、検索された懸賞番組が１つしかない場合には、その懸賞番組を放送している放送局を選局する点が他の懸賞番組検索表示処理と異なる。
【０１４６】
ＳＴＡＲＴ：制御部３２は、懸賞番組検索表示モードが選択されると懸賞番組検索表示処理（その６）を開始する。制御部３２は、懸賞番組検索表示処理（その６）が開始されると、ステップＳ１２１の処理へ移行する。
【０１４７】
ステップＳ１２１：制御部３２は、ユーザからの懸賞番組の表示要求の有無を判断する。制御部３２は、ユーザからの懸賞番組の表示要求があると（ステップＳ１２１でＹＥＳ）、ステップＳ１２２の処理に移行する。一方、制御部３２は、ユーザからの懸賞番組の表示要求が無ければ（ステップＳ１２１でＮＯ）、懸賞番組検索表示処理（その６）を終了する（ＥＮＤ）。
【０１４８】
ステップＳ１２２：制御部３２は、懸賞情報が受信済か否か判断する。制御部３２は、懸賞情報を受信済の場合（ステップＳ１２２でＹＥＳ）、ステップＳ１２４の処理に移行する。一方、制御部３２は、懸賞情報を未受信の場合（ステップＳ１２２でＮＯ）、ステップＳ１２３の処理へ移行する。
【０１４９】
ステップＳ１２３：制御部３２は、懸賞情報の受信処理を行い、ステップＳ１２４の処理へ移行する。なお、この受信処理は、懸賞情報を放送波から受信するまでの待機処理である。
【０１５０】
ステップＳ１２４：制御部３２は、ＥＰＧ情報から懸賞番組の有無を確認する。その結果、懸賞番組が有れば（ステップＳ１２４でＹＥＳ）、制御部３２は、ステップＳ１２６の処理に移行する。一方、制御部３２は、懸賞番組が無ければ（ステップＳ１２４のＮＯ）、ステップＳ１２５の処理へ移行する。
【０１５１】
ステップＳ１２５：制御部３２は、懸賞番組が無い旨を表示し、懸賞番組検索表示処理（その６）を終了する（ＥＮＤ）。
【０１５２】
ステップＳ１２６：制御部３２は、ステップＳ１２４の処理で検索した懸賞番組の有無を判断する。制御部３２は、ステップＳ１２４の処理で検索した懸賞番組が１つであれば（ステップＳ１２６でＹＥＳ）、ステップＳ１３０の処理へ移行する。一方、制御部３２は、ステップＳ１２４で検索した懸賞番組が複数であれば（ステップＳ１２６でＮＯ）、ステップＳ１２７の処理へ移行する。
【０１５３】
ステップＳ１２７：制御部３２は、現在の懸賞番組の表示処理を開始し、スペクトルＳ１２８の処理へ移行する。なお、ステップＳ１２７における表示処理の開始とは、特定の番組をユーザにより容易に選択できるように、たとえばリスト形式で表示する処理である。
【０１５４】
ステップＳ１２８：制御部３２は、ユーザがＥＰＧ情報から現在の懸賞番組を選択するか否か判断する。制御部３２は、ユーザがいずれかの懸賞番組を選択するまで待機する（ステップＳ１２８でＮＯ）。制御部３２は、ユーザがＥＰＧ情報から現在の懸賞番組を選択したら（ステップＳ１２８でＹＥＳ）ステップＳ１２９の処理へ移行する。
【０１５５】
ステップＳ１２９：制御部３２は、ステップＳ１２８の処理で選択された懸賞番組を表示して懸賞番組検索表示処理（その６）を終了する（ＥＮＤ）。
【０１５６】
ステップＳ１３０：制御部３２は、懸賞番組の放送局を選局し、懸賞番組検索表示処理（その６）を終了する（ＥＮＤ）。
【０１５７】
このような懸賞番組検索表示処理（その６）とすることで、現在の懸賞情報がある番組が１つしかない場合には、即座にその懸賞番組の放送局を選局できるため、ユーザが番組を見逃す確率を著しく低下させることができる。また、ユーザが望んだ番組のみが選択して表示されるため、ユーザの利便性を向上させることができる。
【０１５８】
１−３．懸賞情報表示例
１−３−１．表示例その１
図１８は、図３に示す表示装置５０で表示される画面表示例その１を示す図である。図１８に示すこの画面例は、たとえば上述した図６のステップＳ１３で表示される画面であり、新聞のラテ欄形式で表示したＥＰＧ画面である。当該ＥＰＧ画面の左端には、現在受信中の放送種別が強調表示され、他の放送種別はグレーアウトされている。また、番組表の右上には、現在日時が表示される。本実施の形態では、４つの放送局１０の番組表が表示されている。この番組表において、放送局１０の１つである「東京ＢＣ」、１７時〜１９時の番組「日本7不思議発掘！」に、懸賞情報があるため強調表示されていることを示している。なお、強調表示は行わず、懸賞情報を番組表に表示するのみでもよい。
【０１５９】
１−３−２．表示例その２
図１９は、図３に示す表示装置５０で表示される画面表示例その２を示す図である。この図１９で示される画面は、図１８の番組表で「日本７不思議発掘！」が選択された例（方向キーで番組表内の選択番組を移動させ、決定キーを押す）を示す。図１９では、「日本７不思議発掘！」の詳細な番組情報が表示される。方向キーの下を押して画面を送ることにより画面に表示しきれない情報が表示される。図１９では、応募方法等も表示される。また、図１９では録画予約ボタン、選局ボタン、視聴予約ボタン、プレゼントボタンが表示される。録画予約ボタンを押すとこの番組の録画（録画予約）を行う。選局ボタンを押すとこの放送局１０にチャンネルを切り替えて表示される。続いて視聴予約ボタンを押すと、この番組の開始時にチャンネルを切り替える制御を行う。プレゼントボタンを押すと、懸賞情報を抽出し、特化した情報を表示する。
【０１６０】
なお、図１９の画面表示例において、画面上のボタンを押す操作は、操作入力部３１の方向キーを押して画面上のボタンを選択し、その上で操作入力部３１の決定ボタンを押す操作になる。あるいは、操作入力部３１が画面上に配置されたタッチパネルである場合には、画面に表示されたボタンを直接指で押すこともできる。
【０１６１】
１−３−３．表示例その３
図２０は、図３に示す表示装置５０で表示される画面表示例その３を示す図である。図２０では、プレゼントボタンが押された場合の懸賞情報を表示している。なお、プレゼント画像データは、懸賞データ列内に画像データを含めて送信することによりプレゼント画像のデータを表示することができる。また、図２０の画面表示例その３は、図１２のステップＳ７７、図１３のステップＳ８９、図１４のステップＳ９９、図１５のステップＳ１１０、図１６のステップＳ１１９、図１７のステップＳ１２９の各処理に対応するものである。
【０１６２】
１−３−４．表示例その４
図２１は、図３に示す表示装置５０で表示される画面表示例その４を示す図である。図２１では、プレゼントボタンが押された場合の懸賞情報を表示している。ただし、図２１の例は、図１４で説明した懸賞番組検索表示処理（その３）の処理を実行した結果である。すなわち、図１４で説明した処理における所定条件として「リアルタイムに懸賞がある番組」を設定した場合の検索結果の一例である。
【０１６３】
１−３−５．表示例その５
図２２は、図３に示す表示装置５０で表示される画面表示例その５を示す図である。図２２は、図１８で説明した新聞のラテ欄形式で表示したＥＰＧ画面であるが、その画面の下に、操作入力部３１の“赤”、“青”、“黄”、“緑”、“決定”の各ボタンを押した場合の処理が表示されている。“赤”のボタンを押すと「録画予約」が開始される。“青”のボタンを押すと「選局」が開始される。“黄”のボタンを押すと「視聴予約」が開始される。“緑”のボタンを押すと「プレゼント」すなわち懸賞のある番組が強調されて表示される。“決定”のボタンを押すとカーソル（操作入力部３１の方向キーにより移動させる。）が示す番組または強調表示されている番組の詳細情報が表示される。
【０１６４】
１−３−６．表示例その６
図２３は、図３に示す表示装置５０で表示される画面表示例その６を示す図である。図２３は、図１８で説明した新聞のラテ欄形式で表示したＥＰＧ画面であるが、その画面の下に、図２１の表示例で説明したような検索結果「リアルタイムに懸賞がある番組です。」が表示されている例である。ここでは、「日本７不思議発掘！」が強調表示されており、当該番組がリアルタイムに懸賞がある番組であることがわかる。
【０１６５】
１−３−７．表示例その７
図２４は、図３に示す表示装置５０で表示される画面表示例その７を示す図である。図２４は、放送受信中に操作入力部３１のメニューボタン（不図示）を押した場合の画面表示例である。それまで全面に表示されていた放送画像が小さくなり、その横に“設定”、“検索”、“予約”、“懸賞”、“終了”の各表示が行われる。操作入力部３１の方向キーを操作することによって、“設定”、“検索”、“予約”、“懸賞”、“終了”のいずれかの表示を選択し、操作入力部３１の決定ボタンを押すことによって“設定”、“検索”、“予約”、“懸賞”、“終了”の各処理が実行される。
【０１６６】
なお、“設定”、“検索”、“予約”、“懸賞”、“終了”の各処理について説明すると、“設定”を選択することにより各種設定の入力が可能になる。各種設定の例としては、たとえば、録画予約の際の録画先となるメディア、録画予約の際の録画品質などが挙げられる。また、“検索”を選択することにより各種検索が可能になる。各種検索の例としては、たとえば、商品ジャンルによる検索や応募期限による検索などが挙げられる。また、“予約”を選択することにより録画予約や視聴予約の入力が可能になる。また、“懸賞”を選択することにより、懸賞情報の表示が行われる。また、“終了”を選択することにより、“設定”、“検索”、“予約”、“懸賞”の各処理を終了できる。
【０１６７】
ここで、上述したように図２４の表示画面上で“懸賞”を選択するか、あるいは、図２２の画面表示例で説明したように操作入力部３１の“緑”のボタン（すなわち、プレゼントボタン）を押すと、図２５に示すように、懸賞番組がリスト表示される。なお、操作入力部３１の“緑”のボタンを押したときに、懸賞番組が無い場合には、図２６に示すような画面表示例となる。このような図２４、図２５、図２６の画面表示例は、図１２に示すフローチャートの処理に対応するものである。
【０１６８】
１−３−８．表示例その８
図２７は、図３に示す表示装置５０で表示される画面表示例その８を示す図である。図２７は、懸賞のジャンル選択を行う場合の画面表示例である。図２７の画面表示例の画面に切り替える手順はどのような手順でもよい。たとえば、操作入力部３１のメニューボタン（不図示）を押して図２４に示す画面表示例とした後に、操作入力部３１の方向キーを操作することによって“設定”を選択し、さらに決定ボタンを押すと各種設定の入力が可能となると説明した。その各種設定の一つが図２７の画面表示例となるようにしてもよい。
【０１６９】
このように図２７の画面表示例の画面上でユーザが設定したいジャンルを選択できる。選択は、たとえば操作入力部３１の方向キーを動かすことにより希望するジャンルを選択し、決定ボタンを押すなどによって実行する。
【０１７０】
このようにしてユーザがジャンルを設定した後に、図２４で示した画面表示例としてから“懸賞”を選択する、あるいは、図２２で説明した“緑”ボタン（＝プレゼントボタン）を押すと、図２８に示すように、ユーザが所望するジャンルの商品に係る番組のみに絞り込んでリスト表示される。このようなジャンル設定に基づく画面表示例は、図１３に示すフローチャートの処理に対応するものである。
【０１７１】
また、図２９に示すように、商品ジャンルの他にも検索条件を設定することもできる。図２９の画面表示例の画面に切り替える手順は図２７の画面表示例の画面に切り替える手順と同じでよい。
【０１７２】
このように図２９の画面表示例の画面上でユーザが設定したい検索条件を設定できる。設定の手順は、たとえば操作入力部３１の方向キーを動かすことにより、予め記録部３７に記録している多数の検索条件の中からユーザが設定を希望する検索条件を表示させ、“決定”のボタンを押すなどによって設定する。あるいは、操作入力部３１の文字入力キー（不図示）を用いてキーワードなどを直接入力してもよい。このような検索条件の設定によって、図１４に示すフローチャートの処理に対応することができる。
【０１７３】
１−３−９．表示例その９
図３０は、図３に示す表示装置５０で表示される画面表示例その９を示す図である。図３０は、放送受信装置３０の電源を投入した場合の画面表示例である。放送画像に隣接して本日の懸賞番組の情報が表示される。このような画面表示例となる処理は、図１５で説明したフローチャートに対応するものである。なお、“本日”といっても放送受信装置３０の電源投入時刻以前に終了した番組については表示しないようにすることが好ましい。特に、番組終了と共に応募を締め切るようなリアルタイムの懸賞番組については表示する必要性がない。
【０１７４】
１−３−１０．表示例その１０
図３１、図３２は、図３に示す表示装置５０で表示される画面表示例その１０を示す図である。図３１、図３２は、ユーザが操作入力部３１を操作して懸賞番組の表示要求を行った際の画面表示例である。この画面表示例は、図１６、図１７のフローチャートの処理に対応する。図３１は、図１６、図１７のフローチャートの処理において懸賞番組が複数有る場合の画面表示例（ステップＳ１１４、Ｓ１２４）である。図３１の例では「日本７不思議発掘！」と「ニューイヤーアジア」が懸賞番組であることがわかる。また、図３２は、図１６、図１７のフローチャートの処理において懸賞番組が１つしかない場合の画面表示例（ステップＳ１１７、Ｓ１２７）である。図３２の例では「日本７不思議発掘！」のみが懸賞番組であり、その詳細情報が表示されている。
【０１７５】
以上に説明したことから、本発明の第１実施形態に係る情報配信システム１は、懸賞情報を含めて放送するため、懸賞がある番組を容易に把握することができる。これにより放送局１０側のメリットとして、懸賞を目的とした新たな視聴者を獲得し、視聴機会を増加させることができる。また、ユーザ側のメリットとして、ＥＰＧ情報から簡単に懸賞を行っている番組を把握することができるので、プレゼントを提供している番組を容易に探し出して、視聴することができる。また、そのような番組でどのようなプレゼントがなされるのかを簡単に把握することができる。また、リアルタイムの懸賞番組かどうかを把握することにより、その場で視聴するのか録画してから視聴するのかを選択することができる。
【０１７６】
１−４．実施例１の変形例：（ＥＰＧと懸賞情報が別）
１−４−１．放送送信装置の構成
続いて、上述した実施例１の変形例である放送送信装置１１Ａについて説明する。図３３は、図２に示す放送送信装置１１の変形例である放送送信装置１１Ａを示す図である。この放送送信装置１１Ａでは、実施例１の放送送信装置１１と異なり、ＥＰＧ情報に懸賞情報を含めて送信するものではなく、ＥＰＧ情報とは別に懸賞情報を生成して、送出するものである。すなわち、懸賞情報作成部１９は、放送スケジュールＤＢ１８を参照して懸賞情報を生成して、生成した懸賞情報と共にＭＵＸ部１６Ａで多重化して送出されるものである。図３３に示す放送送信装置１１Ａには、図２に示す放送送信装置１１では無かった懸賞情報作成部１９がある。また、ＭＵＸ部１６Ａは、懸賞情報作成部１９で作成された懸賞情報を他の信号に多重する機能を有する。
【０１７７】
１−４−２．放送送信装置の処理
図３４は、図３３に示す放送送信装置１１Ａの放送配信処理のフローチャートである。なお、放送スケジュールＤＢ１８に格納されている番組情報には、当該番組内で告知される懸賞情報が関連付けられて記憶されているものとする。
【０１７８】
ＳＴＡＲＴ：制御部１２Ａは、電源がＯＮになる、または当該配信モードが選択されると放送配信処理を開始する。
【０１７９】
ステップＳ１３０：制御部１２Ａは、放送スケジュールＤＢ１８を参照して、番組情報に懸賞情報が含まれているか否かを判断する。制御部１２Ａは、番組情報に懸賞情報が含まれている場合（ステップＳ１３０でＹＥＳ）には、ステップＳ１３２の処理へ移行し、番組情報に懸賞情報が含まれていない場合（ステップＳ１３０でＮＯ）には、ステップＳ１３１の処理へ移行する。
【０１８０】
ステップＳ１３１：制御部１２Ａは、放送コンテンツ、データ放送、ＥＰＧ情報を多重化する。制御部１２Ａは、ステップＳ１３１の処理が完了すると、ステップＳ１３４の処理へ移行する。
【０１８１】
ステップＳ１３２：制御部１２Ａは、懸賞情報を生成する。制御部１２Ａは、ステップＳ１３２の処理が完了すると、ステップＳ１３３の処理へ移行する。
【０１８２】
ステップＳ１３３：制御部１２Ａは、放送コンテンツ、データ放送、ＥＰＧ情報、懸賞情報を多重化する。制御部１２Ａは、ステップＳ１３３の処理が完了すると、ステップＳ１３４の処理へ移行する。
【０１８３】
ステップＳ１３４：制御部１２Ａは、ステップＳ１３１またはＳ１３３で多重化した放送データを送出して放送配信処理を終了する（ＥＮＤ）。
【０１８４】
また、「実施例１」の図１２〜図１７のフローチャートで説明した検索処理については、「実施例１の変形例」においても適用できる。ただし、懸賞情報は、ＥＰＧ情報には含まれていないため、制御部３２は、ＥＰＧ情報に基づいて番組を指定した後、懸賞情報のデータを読みに行き、当該番組に懸賞情報が有るか否かを判断する。そして、制御部３２は、懸賞情報が有る場合には、これを取得することによって「実施例１」で説明した検索処理を行うことができる。
【０１８５】
このような配信処理とすることにより、上述した第１実施例の放送送信装置１１の有する効果に加えて、ＥＰＧ情報の生成段階において番組内での懸賞の有無が確定していない場合や、ＥＰＧ情報作成後に懸賞情報を追加したい場合であっても放送データに多重化して放送受信装置３０Ａへ配信を行うことができる。また、ＥＰＧ情報に懸賞情報を含めることができない場合であっても、放送データに多重化して放送受信装置３０Ａへ配信することができる。
【実施例２】
【０１８６】
２．情報配信システム１Ａ（実施例２：ＥＰＧに懸賞情報含む）の全体構成
図３５は、本発明の第２実施形態に係る情報配信システム１Ａの全体構成を示すブロック図である。図３５に示す情報配信システム１Ａは、第１実施形態に係る情報配信システム１と異なり、放送局１０と、放送局サーバ７０と、放送受信装置３０ＡとがＩＰ通信網１００を介して通信可能となっている。放送局１０は、放送波により放送番組やデータ放送、ＥＰＧ情報を送出する。放送局サーバ７０は、ＩＰ通信網１００経由でＥＰＧ情報などを送信する。放送局サーバ７０は、放送局１０が有していてもよいし、別個に独立して存在してもよい。放送局サーバ７０は、独自のインターネット独自の番組や静止画、音声、動画といったコンテンツデータを送信するようにしてもよい。また、放送局サーバ７０は、放送局の番組と連動した独自の番組や静止画、音声、動画といったコンテンツデータを送信するようにしてもよい。受信装置３０は、放送局からの放送波を受信し、受信した番組の表示、音声出力やＥＰＧ情報の出力を行う。放送受信装置３０はたとえば、ＴＶ放送やラジオ放送の受信機である。放送受信装置３０には録画、録音機能を有していてもよい。また、放送局サーバ７０からのコンテンツを受信し、表示や音声出力、データの出力等を可能としている。
【０１８７】
２−１．各部の説明
２−１−１．放送受信装置の構成
図３６は、図３５に示す放送受信装置３０Ａの全体構成を示すブロック図である。図３６に示すように、放送受信装置３０Ａは、操作入力部３１、制御部３２、チューナー３３、ＤＥＭＵＸ部３４、デコード部３５、映像音声出力部３６、記録部３７、ネットワーク接続部３８、ネットワーク情報デコード部３９、ユーザ情報記憶部４０を主要な構成要素としている。ここで、制御部３２は、たとえば不図示のハードウェア資源であるＣＰＵなどで構成されており、記録部やＲＯＭなどに格納されている各種プログラムをＲＡＭに読み出して、各種演算処理を協働して実行することで、放送受信装置３０Ａの各部の機能が行う情報処理を実現することができる。なお、第１実施例の放送受信装置３０Ａと同一の機能（操作入力部３１、制御部３２、チューナー３３、ＤＥＭＵＸ部３４、デコード部３５、映像音声出力部３６、記録部３７）については同一の符号を付して説明を省略する。
【０１８８】
ネットワーク接続部３８は、ＩＰ通信網１００を介して放送局サーバ７０と通信を行う通信インターフェースである。ネットワーク接続部３８は、放送局サーバ７０のネットワーク接続部８１（図３７参照）からのデータを受信し、ネットワーク情報デコード部３９に当該データを送る。なお、ネットワーク接続部３８は、請求項の電子番組情報取得部の一部、告知情報取得部の一部として機能する。
【０１８９】
ネットワーク情報デコード部３９は、ネットワーク接続部３８から受信したデータを制御部３２の指示にしたがってデコードし、記録部３７に供給する。なお、記録部３７に供給されたデータは、映像音声出力部３６へ供給され、その後、表示装置５０および／または音声再生装置６０に出力される。ユーザ情報記憶部４０は、情報配信システム１Ａを利用するユーザ情報が格納されている。なお、ネットワーク情報デコード部３９は、請求項の告知情報出力部の一部として機能する。
【０１９０】
２−１−２．放送局サーバの構成
図３７は、図３５に示す放送局サーバ７０の全体構成を示すブロック図である。図３７に示すように放送局サーバ７０は、制御部７１、コンテンツストリーム作成部７２、配信要求受付部７３、ユーザ情報管理部７４、コンテンツデータ配信部７５、ＥＰＧ情報作成部７６、サーバ放送用ＥＰＧ情報作成部７７、コンテンツＤＢ７８、放送スケジュールＤＢ７９、懸賞商品情報ＤＢ８０、ネットワーク接続部８１とを主要な構成要素としている。なお、放送局サーバ７０は、請求項の情報配信装置として機能する。
【０１９１】
ここで、上述したコンテンツストリーム作成部７２、配信要求受付部７３、ユーザ情報管理部７４、コンテンツデータ配信部７５、ＥＰＧ情報作成部７６、サーバ放送用ＥＰＧ情報作成部７７の各機能が実現する情報処理は、放送局サーバ７０全体を制御する制御部７１がハードウェア資源と協働して実行することにより実現される。具体的には、制御部７１は、不図示のハードウェア資源であるＣＰＵなどから構成され、ＣＰＵが不図示のＲＯＭに格納されている各種プログラムを不図示のＲＡＭに読み出して協働して実行することにより実現している。また、上述したコンテンツＤＢ７８、放送スケジュールＤＢ７９、懸賞商品情報ＤＢ８０は不図示の記憶部に記憶されており、記憶部は、たとえばＨＤＤやフラッシュメモリなどから構成される。なお、第１実施例の放送送信装置３０と同一の機能（コンテンツストリーム作成部７２）については、説明を省略する。
【０１９２】
配信要求受付部７３は、放送受信装置３０Ａからの懸賞情報の配信要求を受け付ける機能を有する。具体的には、放送受信装置３０Ａから要求のあったコンテンツやＥＰＧ情報、サーバ放送用ＥＰＧ情報を提供する。
【０１９３】
ユーザ情報管理部７４は、放送局サーバ７０に接続してきたユーザが登録されていない場合に所定の入力事項を求めて、情報配信システム１Ａのユーザとして新たに登録することができる機能を有している。具体的には、ユーザ情報管理部７４は、接続してきた放送受信装置３０Ａのディスプレイ、または放送受信装置３０Ａに接続されている表示装置５０にユーザ登録画面を表示し、所定の事項を入力させて、入力された事項を不図示の記憶部に記憶する処理を行う。
【０１９４】
また、ユーザ情報管理部７４は、放送局サーバ７０に接続してきたユーザが、情報配信システム１Ａを正当に利用できるユーザであるか否かを判断する機能を有している。具体的には、ユーザ情報管理部７４は、接続してきた放送受信装置３０Ａのディスプレイ、または放送受信装置３０Ａに接続されている表示装置５０にユーザ認証画面を表示させ、当該認証画面に入力された事項（たとえばユーザが入力したユーザＩＤおよびパスワードなど）と、不図示の記憶部に予め記憶されている事項（当該ユーザＩＤと当該ユーザが予め設定したパスワードなど）とを照合することでユーザ認証処理を行う。なお、ユーザ情報管理部７４は、ユーザ認証サーバとしてのＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）サーバを、放送局サーバ７０とは別に構築して、当該ＬＤＡＰサーバにおいて上述したユーザ情報管理部７４の各処理を実現するようにしてもよい。また、ユーザ情報管理部７４は、ユーザの情報を管理する。具体的にはユーザＩＤとユーザの視聴エリアが登録されており、要求のあったユーザに視聴エリアに応じた適切な放送地域のＥＰＧデータを提供することができる。
【０１９５】
コンテンツデータ配信部７５は、放送送信装置１１が放送波で送出する放送データとは異なり、当該放送データに関連するコンテンツ、またはそれ以外のコンテンツをＩＰ通信網１００経由で配信する機能を有する。
【０１９６】
ＥＰＧ情報作成部７６は、放送スケジュールＤＢ７９と懸賞商品情報ＤＢ８０に基づき、ＥＰＧ情報を作成する。放送スケジュールＤＢ７９には、放送波（テレビ放送、ラジオ放送等）の番組情報が記憶され、ＥＰＧ情報の作成に用いられる。また、放送スケジュールＤＢ７９には、基本的には第１実施形態に係る放送送信装置１１の放送スケジュールＤＢ７９と同等のデータが含まれているが、より詳細な情報が記憶されているものである。また、懸賞商品情報ＤＢ８０には、予め懸賞情報が記憶されている。懸賞情報は、図３８〜図４０に示すデータに記載のように懸賞のある番組の放送種別や放送局、番組名、開始/終了時刻、リアルタイムに応募する番組なのか、応募締切情報、申込情報等が記録されている。これらはＥＰＧ情報の作成に用いられ、ＥＰＧ情報に懸賞情報を含んで放送受信装置３０Ａからの要求に応じて送信される。
【０１９７】
サーバ放送用ＥＰＧ情報作成部７７は、後述するコンテンツＤＢ７８のコンテンツが放送番組と関係するコンテンツである場合に、放送番組と関係するコンテンツのＥＰＧデータを作成するものである。このコンテンツに関連した懸賞情報がある場合には、その懸賞情報も含めてサーバ放送用ＥＰＧデータを作成する。
【０１９８】
コンテンツＤＢ７８には、種々のコンテンツが記憶されている。コンテンツＤＢ７８に記憶されているコンテンツは、番組連動型のものや放送終了後にもアクセスできるコンテンツ、また、エリア限定のものではないコンテンツなどが記憶されている。具体的なコンテンツの例としては、静止画、動画、音声等である。なお、これらの情報は、例えばＸＭＬ(ｅＸｔｅｎｓｉｂｌｅ  Ｍａｒｋｕｐ  Ｌａｎｇｕａｇｅ)やＢＭＬ(Ｂｒｏａｄｃａｓｔ  Ｍａｒｋｕｐ  Ｌａｎｇｕａｇｅ)等のマークアップ言語で記述されており、このようなマークアップ言語を用いることで、ＩＰ通信網１００との親和性を良好なものとすることができる。
【０１９９】
２−２．各装置の処理
２−２−１．放送局サーバの懸賞情報配信処理
続いて、放送局サーバ７０の行う懸賞情報配信処理について説明する。放送局サーバ７０は、ＥＰＧ情報に懸賞情報を付加して放送受信装置３０Ａに対して送信処理を行う。
【０２００】
図３８は、図３５に示す放送局サーバ７０から送信される懸賞情報のデータ列の一例を示す図である。図３８に示すように、懸賞情報のデータ列は、「放送種別」、「放送局名」、「放送開始日時」、「放送終了日時」、「番組名」、「表示形式」、「音声形式」「ジャンル」、「出演者」、「監督」、「制作会社」、「番組内容」、「リアルタイムか否か」、「応募方法」、「懸賞申込開始日時」、「懸賞申込終了日時」、「プレゼントジャンル」、「プレゼント商品名」などのフィールドから構成されている。
【０２０１】
また、放送局サーバ７０は、図３８で示した懸賞情報のデータ列をＥＰＧ情報に付加する。図３９は、図３５に示す放送局サーバ７０から送信されるＥＰＧ情報に懸賞情報のデータ列が付加された例その１を示す図である。図３９に示すように、懸賞情報のデータ列には「連動コンテンツ１」、「連動コンテンツ２」のフィールドが追加されている。これにより番組と連動したコンテンツを配信可能とし、当該コンテンツに関するＥＰＧ情報も送信することができる。
【０２０２】
図４０は、図３５に示す放送局サーバ７０から送信されるＥＰＧ情報に懸賞情報が付加された例その２を示す図である。図４０に示すように、「連動コンテンツ１」フィールドから右のフィールドは、連動するコンテンツに関するものであり、当該連動コンテンツの懸賞情報が付加されているデータ列としてもよい。
【０２０３】
上述した懸賞情報をＥＰＧ情報に入れる場合には、例えばＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ）で規定される地上デジタル放送や、ＢＳデジタル放送のＳＩ情報中にあるＥＰＧ情報のＴＹＰＥ−Ｈを表示するための、番組表形式のデータ部分又は及び個別の番組の説明のためのデータ部分に入れることが好ましい。また、他の放送や他のＥＰＧ表示形式の場合（ワンセグ放送）の場合には、番組名や番組説明のためのテキスト情報のデータ中に懸賞情報を入れることが好ましい。また、懸賞情報は、放送受信装置３０Ａ側でテキスト検索できるよう、所定のキーワード“懸賞”、“プレゼント”といった文字列を含むようにすることが好ましい。また、応募条件を記述する場合には、“応募条件”という文字列のあとに所定の条件内容を記載することが好ましい。応募の開始、終了期間についても、同様の形式で表現を行うことが好ましい。
【０２０４】
図４１は、図３５に示す放送局サーバ７０で行うＥＰＧ情報送信処理のフローチャートである。このＥＰＧ情報送信処理は、懸賞情報の有無を含めたＥＰＧ情報を配信するものである。なお、図５の処理と同一の処理（図４１のＳＴＡＲＴ、ステップＳ１、Ｓ２、Ｓ３、Ｓ４の処理）については、同一のステップ番号を付し、説明を省略する。
【０２０５】
ステップＳ１４０：制御部７１は、送信する期間内の全ての番組を含んだＥＰＧ情報を生成する。放送局サーバ７０の制御部７１は、ステップＳ１４０の処理が完了すると、ステップＳ１４１の処理へ移行する。
【０２０６】
ステップＳ１４１：制御部７１は、ＥＰＧ情報の送信要求判断を行う。放送局サーバ７０の制御部７１は、ＥＰＧ情報の送信要求がある場合（ステップＳ１４１でＹＥＳ）にはステップＳ１４２へ、ＥＰＧ情報の送信要求が無い場合（ステップＳ１４１でＮＯ）には、ステップＳ１４１の判断処理を繰り返す。
【０２０７】
ステップＳ１４２：制御部７１は、ＥＰＧ情報を送信してＥＰＧ情報送信処理を終了する（ＥＮＤ）。
【０２０８】
このような送信処理とすることで、懸賞情報の有無がＥＰＧ情報に含まれて配信されるため、視聴者が放送番組内で告知される情報を容易に知ることができる。また、放送受信装置３０Ａからの送信要求に基づいて、ＩＰ通信網１００を利用して懸賞情報の有無を有するＥＰＧ情報を放送局サーバ７０から配信させるため、第１実施形態における放送送信装置１１の放送波による配信処理とは異なり、視聴者の配信要求に基づいて懸賞情報の有無を有するＥＰＧ情報を配信することが可能となる。つまり、ユーザの要求を反映することができる。
【０２０９】
２−２−２−１．放送受信装置の懸賞情報表示処理その１
図４２は、図３５に示す放送受信装置３０Ａで行う懸賞情報表示処理のフローチャートである。
【０２１０】
ＳＴＡＲＴ：制御部３２は、電源がＯＮになる、または当該表示モードが選択されると懸賞情報表示処理を開始する。制御部３２は、懸賞情報表示処理が開始されると、ステップＳ１５０の処理へ移行する。
【０２１１】
ステップＳ１５０：制御部３２は、ＥＰＧ画面の表示要求有無を判断する。制御部３２は、ＥＰＧ画面の表示要求がある場合（ステップＳ１５０でＹＥＳ）には、ステップＳ１５１の処理へ移行し、ＥＰＧ画面の表示要求がない場合（ステップＳ１５０でＮＯ）には、ステップＳ１５０の判断処理を繰り返す。
【０２１２】
ステップＳ１５１：制御部３２は、ＥＰＧ情報が未取得か否かを判断する。制御部３２は、未取得の場合（ステップＳ１５１でＹＥＳ）には、ステップＳ１５２の処理へ移行し、取得済みの場合（ステップＳ１５１でＮＯ）には、ステップＳ１５３の処理へ移行する。なお、常時ネットワーク接続をしている環境において、特定のタイミングで（たとえば５分に1回など）で最新のＥＰＧを取得することができる場合には、このステップを行わなくてもよい。
【０２１３】
ステップＳ１５２：制御部３２は、ＥＰＧ情報を放送局サーバ７０へ要求する。
【０２１４】
ステップＳ１５３：制御部３２は、ステップＳ１５１またはＳ１５２で要求して取得したＥＰＧ情報に基づいてＥＰＧ画面を表示して懸賞情報表示処理を終了する（ＥＮＤ）。
【０２１５】
このような表示処理とすることで、ＥＰＧ表示要求があった場合に、ＥＰＧ情報の取得有無を確認すると共に、ＥＰＧ情報を取得していない場合であっても、放送局サーバ７０にＥＰＧ情報の取得要求を行い、当該要求により取得したＥＰＧ情報を表示することができる。
【０２１６】
２−２−２−２．放送受信装置の懸賞情報表示処理その２
図４３は、図３５に示す放送受信装置３０Ａで行う懸賞情報表示処理のフローチャートである。この懸賞情報表示処理は、図４２で示した懸賞情報表示処理と異なり、放送局サーバ７０から懸賞情報のみを受信した場合の表示処理である。
【０２１７】
ＳＴＡＲＴ：制御部３２は、電源がＯＮになる、または当該表示モードが選択されると懸賞情報表示処理を開始する。制御部３２は、懸賞情報表示処理が開始されると、ステップＳ１６０の処理へ移行する。
【０２１８】
ステップＳ１６０：制御部３２は、表示要求されているＥＰＧ情報に懸賞情報があるか否かを判断する。制御部３２は、表示要求されているＥＰＧ情報に懸賞情報がある場合（ステップＳ１６０でＹＥＳ）には、ステップＳ１６２の処理へ移行し、懸賞情報がない場合（ステップＳ１６０でＮＯ）には、ステップＳ１６１の処理へ移行する。
【０２１９】
ステップＳ１６１：制御部３２は、ＥＰＧ情報を画面に表示する。制御部３２は、ステップＳ１６１の処理が完了すると、ステップＳ１６３の処理へ移行する。
【０２２０】
ステップＳ１６２：制御部３２は、懸賞のある番組のＥＰＧ情報部分にマークを合成して表示（重畳表示）させる。制御部３２は、ステップＳ１６２の処理が完了すると、ステップＳ１６３の処理へ移行する。なお、懸賞のある旨を示すマークは、アイコンやテキストでもよい。
【０２２１】
ステップＳ１６３：制御部３２は、ＥＰＧ情報に基づいて表示されている番組の中から特定の番組についての表示要求有無を判断する。制御部３２は、特定の番組についての表示要求がある場合（ステップＳ１６３でＹＥＳ）には、ステップＳ１６４の処理へ移行し、表示要求がない場合（ステップＳ１６３でＮＯ）には懸賞情報表示処理を終了する（ＥＮＤ）。
【０２２２】
ステップＳ１６４：制御部３２は、特定の番組に懸賞情報があるか否かを判断する。特定の番組に懸賞情報がある場合（ステップＳ１６４でＹＥＳ）には、ステップＳ１６６の処理へ移行し、懸賞情報がない場合（ステップＳ１６４でＮＯ）には、ステップＳ１６５の処理へ移行する。
【０２２３】
ステップＳ１６５：制御部３２は、図４４に示すような番組情報を表示して懸賞情報表示処理を終了する（ＥＮＤ）。
【０２２４】
ステップＳ１６６：制御部３２は、図４５に示すような番組情報と懸賞情報を表示して懸賞情報表示処理を終了する（ＥＮＤ）。
【０２２５】
なお、ステップＳ１６４で、懸賞情報がある場合に、図１９のようなプレゼントのアイコンを表示させ、このアイコンが選択された場合に、図２０のような懸賞情報の詳細を表示するようにしてもよい。
【０２２６】
また、「実施例１」の図１２〜図１７のフローチャートで説明した検索処理については、「実施例２」においても適用できる。ただし、懸賞情報は、放送波には含まれていないため、制御部３２は、懸賞情報を含んだＥＰＧ情報のデータの送信を放送局サーバ７０に要求し、ＥＰＧ情報を取得する。そして、制御部３２は、放送局サーバ７０から取得した、懸賞情報を含んだＥＰＧ情報を利用することによって「実施例１」で説明した検索処理を行うことができる。
【０２２７】
このような表示処理とすることで、ＥＰＧ画面上に表示される番組の懸賞情報の有無や、詳細な懸賞情報を容易に知ることができる。また、これらの情報が放送番組の視聴するための動機付けとなり、当該放送番組の視聴率アップに寄与することができる。
【０２２８】
以上に説明したことから、本発明の第２実施形態に係る情報配信システム１Ａは、懸賞情報を含めて放送するため、懸賞がある番組を容易に把握することができる。これにより放送局１０側のメリットとして、懸賞を目的とした新たな視聴者を獲得し、視聴機会を増加させることができる。また、ユーザ側のメリットとして、ＥＰＧ情報から簡単に懸賞を行っている番組を把握することができるので、プレゼントを提供している番組を容易に探し出して、視聴することができる。また、そのような番組でどのようなプレゼントがなされるのかを簡単に把握することができる。また、リアルタイムの懸賞番組かどうかを把握することにより、その場で視聴するのか録画してから視聴するのかを選択することができる。また、放送局からＥＰＧ情報が送信されない場合や、ＥＰＧ情報に懸賞情報を含んで送信されない場合においても、放送局サーバから送信された懸賞情報を含んだＥＰＧ情報を取得することにより、懸賞情報がある番組を容易に把握することができる。
【０２２９】
２−４．実施例２の変形例（ＥＰＧと懸賞情報が別）
続いて、上述した実施例２の変形例である放送配信システム１Ｂについて説明する。以下に説明する放送局サーバ７０の変形例である放送局サーバ７０Ｂでは、実施例２の放送局サーバ７０と異なり、ＥＰＧ情報に懸賞情報を含めて送信するものではなく、ＥＰＧ情報とは別に懸賞情報を生成して、送信するものである。また、以下に説明する放送受信装置３０Ａの変形例としての放送受信装置３０Ｂでは、実施例２の放送受信装置３０Ａと異なり、ＥＰＧ情報に懸賞情報が含まれた状態で受信するものではなく、ＥＰＧ情報と懸賞情報が別々に作成された状態で受信するものである。
【０２３０】
２−４−１．放送局サーバの構成
放送局サーバ７０Ｂは、実施例２の放送局サーバ７０と異なり、ＥＰＧ情報に懸賞情報を含めて送信するものではなく、ＥＰＧ情報とは別に懸賞情報を生成して、送出するものである。すなわち、図３７に示す放送局サーバ７０の構成に加えて懸賞情報作成部８２を有している。この懸賞情報作成部８２は、放送スケジュールＤＢ７９を参照して懸賞情報を生成する。そして、生成した懸賞情報は、ＩＰ経由でネットワークを介して送信される。なお、懸賞情報作成部８２以外は、図３７に示す放送局サーバ７０と同一であるため、図示および説明を省略する。
【０２３１】
２−４−２．放送受信装置の構成
放送受信装置３０Ｂは、実施例２の放送受信装置３０Ａと異なり、ＥＰＧ情報に懸賞情報を含めて送信するものではなく、ＥＰＧ情報とは別に生成された懸賞情報をネットワーク経由で受信するものである。しかしながら、この変形例における放送受信装置３０Ｂは、図３６に示す放送受信装置３０Ａと同一の構成であるため、図示および説明を省略する。
【０２３２】
２−４−３．放送局サーバの配信処理
続いて、放送局サーバ７０Ｂの配信処理について説明する。図３８は放送局サーバ７０Ｂから送信される懸賞情報の一例である。図３８は懸賞情報の他に番組情報と連動するコンテンツの情報も含めて送信する場合の例である。図３９では、放送局の番組に懸賞情報が存在するのではなく、連動コンテンツに懸賞情報がある場合を示している。図４６は、図４１に示すＥＰＧ情報送信処理の変形例を示す図である。この変形例では、懸賞情報のみを作成して送信するものである。
【０２３３】
ＳＴＡＲＴ：制御部７１は、電源がＯＮになる、または当該送信モードが選択されると懸賞情報送信処理を開始する。制御部７１は、懸賞情報送信処理が開始されると、ステップＳ１７０の処理へ移行する。
【０２３４】
ステップＳ１７０：制御部７１は、懸賞情報がある番組か否かを判断する。制御部７１は、懸賞情報がある番組の場合（ステップＳ１７０でＹＥＳ）には、ステップＳ１７１の処理へ移行し、懸賞情報がない番組の場合（ステップＳ１７０でＮＯ）には、ステップＳ１７２の処理へ移行する。
【０２３５】
ステップＳ１７１：制御部７１は、懸賞情報を生成する。制御部７１は、ステップＳ１７１の処理が完了すると、ステップＳ１７２の処理へ移行する。
【０２３６】
ステップＳ１７２：制御部７１は、送信する期間内の全ての番組について懸賞の有無をチェックする。制御部７１は、送信する期間内の全ての番組について懸賞の有無をチェックした場合（ステップＳ１７２でＹＥＳ）は、ステップＳ１７３の処理へ移行し、チェックしていない場合（ステップＳ１７２でＮＯ）は、ステップＳ１７０の処理へ戻る。
【０２３７】
ステップＳ１７３：制御部７１は、送信する期間内に含まれるすべての懸賞情報を作成する。制御部７１は、ステップＳ１７３の処理が完了すると、ステップＳ１７４の処理へ移行する。
【０２３８】
ステップＳ１７４：制御部７１は、懸賞情報の送信要求の有無判断を行う。制御部７１は、懸賞情報の送信要求がある場合（ステップＳ１７４でＹＥＳ）には、ステップＳ１７５の処理へ移行し、懸賞情報の送信要求がない場合（ステップＳ１７４でＮＯ）には、懸賞情報送信処理を終了する（ＥＮＤ）。
【０２３９】
ステップＳ１７５：制御部７１は、送信する期間内に含まれるすべての懸賞情報を送信して、懸賞情報送信処理を終了する（ＥＮＤ）。
【０２４０】
このような送信処理とすることで、懸賞情報のみをＥＰＧ情報とは独立して送信することができる。
【０２４１】
２−４−４．放送受信装置の懸賞情報表示処理
続いて、放送受信装置３０Ｂの懸賞情報表示処理の変形例について説明する。図４７は、図４２に示す懸賞情報表示処理の変形例を示す図である。この変形例は、懸賞情報のみを送信する放送局サーバ７０と通信を行った場合の懸賞情報表示処理である。
【０２４２】
ＳＴＡＲＴ：制御部３２は、電源がＯＮになる、または当該表示モードが選択されると懸賞情報表示処理を開始する。制御部３２は、懸賞情報表示処理が開始されると、ステップＳ１８０の処理へ移行する。
【０２４３】
ステップＳ１８０：制御部３２は、ＥＰＧ画面の表示要求有無を判断する。制御部３２は、ＥＰＧ画面表示要求がある場合（ステップＳ１８０でＹＥＳ）には、ステップＳ１８１の処理へ移行し、ＥＰＧ画面表示要求がない場合（ステップＳ１８０でＮＯ）には、ステップＳ１８０の判断処理を繰り返す。
【０２４４】
ステップＳ１８１：制御部３２は、懸賞情報が受信済か否か判断する。制御部３２は、懸賞情報を受信済の場合（ステップＳ１８１でＹＥＳ）、ステップＳ１８３に移行する。一方、制御部３２は、懸賞情報を未受信の場合（ステップＳ１８１でＮＯ）、ステップＳ１８２の処理へ移行する。
【０２４５】
ステップＳ１８２：制御部３２は、懸賞情報の受信処理を行い、ステップＳ１８３の処理へ移行する。
【０２４６】
ステップＳ１８３：制御部３２は、懸賞情報の表示要求有無を判断する。制御部３２は、懸賞情報の表示要求がない場合（ステップＳ１８３でＮＯ）には、ステップＳ１８４の処理へ移行し、懸賞情報の表示要求がある場合（ステップＳ１８３でＹＥＳ）には、ステップＳ１８５の処理へ移行する。
【０２４７】
ステップＳ１８４：制御部３２は、ＥＰＧ画面を表示して懸賞情報表示処理を終了する（ＥＮＤ）。なお、このステップＳ１８４においてＥＰＧ画面を表示する際に、ステップＳ１８３の懸賞情報の表示要求判断を行うようにしても良い。
【０２４８】
ステップＳ１８５：制御部３２は、最新の懸賞情報について未取得か否かを判断する。制御部３２は、最新の懸賞情報が未取得である場合（ステップＳ１８５でＹＥＳ）には、ステップＳ１８６の処理へ移行し、取得済みである場合（ステップＳ１８５でＮＯ）にはステップＳ１８７の処理へ移行する。
【０２４９】
ステップＳ１８６：制御部３２は、放送局サーバ７０へＥＰＧ情報を要求する。制御部３２は、ステップＳ１８６の処理が完了すると、ステップＳ１８７の処理へ移行する。
【０２５０】
ステップＳ１８７：制御部３２は、ＥＰＧ画面と懸賞情報の表示をして懸賞情報表示処理を終了する（ＥＮＤ）。具体的には、ＥＰＧ画面上に懸賞情報のマークを表示する、または懸賞情報のある番組の背景色等を変更して強調表示する。また各番組の詳細情報表示画面を２画面にし、一方を番組説明、もう一方を懸賞情報としてもよい。
【０２５１】
また、「実施例１」の図１２〜図１７のフローチャートで説明した検索処理については、「実施例２の変形例」においても適用できる。ただし、懸賞情報は、ＥＰＧ情報には含まれていないため、制御部３２は、ＥＰＧ情報に基づいて番組を指定した後、懸賞情報のデータの送信を放送局サーバ７０に要求し、当該番組に懸賞情報が有るか否かを判断する。そして、制御部３２は、懸賞情報が有る場合には、これを放送局サーバ７０から取得することによって「実施例１」で説明した検索処理を行うことができる。
【０２５２】
このような表示処理とすることで、放送局サーバ７０から懸賞情報のみが送信される場合であってもＥＰＧ画面に懸賞情報を表示させることができる。
【０２５３】
３．他の実施形態
以上、情報配信システム１、１Ａを本発明の実施形態例として説明したが、本発明は、これに限定されるものではなく、発明の要旨を逸脱しない範囲において種々の変形や変更が可能である。
【０２５４】
たとえば、リアルタイムに応募しなければならない番組が録画予約された場合には、視聴予約に切り替えるか尋ねるポップアップ画面を表示するようにしてもよい。
【０２５５】
また、放送受信装置３０、３０Ａ、３０Ｂは、放送局サーバ７０からのＥＰＧ情報内にプレゼントがある番組がある場合には、放送波からのＥＰＧ情報にＯＳＤ（Ｏｎ  Ｓｃｒｅｅｎ  Ｄｉｓｐｌａｙ）表示を行うようにしてもよい。
【０２５６】
また、現在から１日で放送される懸賞つきの番組を懸賞名と共に表示するようにしてもよい。その場合の懸賞内容は、放送局サーバ７０側で隠していてもよいし、わかるようにしてもよい。
【０２５７】
また、音声で懸賞情報の有無を通知するようにしてもよい。あるいは、放送波の番組放送中に懸賞情報の有無を通知するようにしてもよい。具体的には、画面内にテロップとして懸賞情報を流してもよい。
【０２５８】
また、放送受信装置３０、３０Ａ、３０Ｂは、ＩＰ通信網１００を通じ、放送局サーバ７０と双方向通信で懸賞の応募、抽選結果の通知等を行うようにしてもよい。
【０２５９】
また、放送局サーバ７０でＥＰＧ情報自体をコンテンツデータとして、送信せずにｗｅｂ上で閲覧できるようにしてもよい。
【０２６０】
また、上述した各実施形態に係る情報配信システム１Ａで説明した各部の機能すべてまたは一部をプログラムによって構成し、このプログラムを情報処理装置（コンピュータ）にインストールすることで実現してもよい。具体的には、コンピュータとして機能させるためにプログラムとすることができる。なお、このプログラムを実行可能な状態で記録した媒体からコンピュータに直接インストールすることも可能であるが、ネットワーク経由で遠隔にあるコンピュータにインストールしてもよい。
【符号の説明】
【０２６１】
１，１Ａ  情報配信システム、１０  放送局、１１  放送送信装置（放送配信装置）、１２  制御部、１３  コンテンツストリーム作成部、１４  ＥＰＧ情報作成部、１５  データ放送作成部、１６  ＭＵＸ部、１７  放送用コンテンツ１７ＤＢ、１７  放送用コンテンツ１８  放送スケジュールＤＢ、１９  データ放送用コンテンツＤＢ、３０，３０Ａ，３０Ｂ  放送受信装置、３１  操作入力部（電子番組情報取得要求部、告知情報取得要求部）、３２  制御部（電子番組情報取得部の一部、告知情報取得部の一部、告知情報出力部の一部）、３３  チューナー（電子番組情報取得部の一部、告知情報取得部の一部）、３４  ＤＥＭＵＸ部（電子番組情報取得部の一部、告知情報取得部の一部）、３５  デコード部（告知情報出力部の一部）、３６  映像音声出力部（告知情報出力部の一部）、３７  記録部、３８  ネットワーク接続部（電子番組情報取得部の一部、告知情報取得部の一部）、３９  ネットワーク情報デコード部（告知情報出力部の一部）、４０  ユーザ情報記憶部、５０  表示装置、６０  音声再生装置、７０  放送局サーバ（放送配信装置）、７１  制御部、７２  コンテンツストリーム作成部、７３  配信要求受付部、７４  ユーザ情報管理部、７５  コンテンツデータ配信部、７６  ＥＰＧ情報作成部、７７  サーバ放送用ＥＰＧ情報作成部、７８  コンテンツＤＢ、７９  放送スケジュールＤＢ、８０  懸賞商品情報ＤＢ、８１  ネットワーク接続部
【図１】
2010226149.tif 000003
【図２】
2010226149.tif 000004
【図３】
2010226149.tif 000005
【図４】
2010226149.tif 000006
【図５】
2010226149.tif 000007
【図６】
2010226149.tif 000008
【図７】
2010226149.tif 000009
【図８】
2010226149.tif 000010
【図９】
2010226149.tif 000011
【図１０】
2010226149.tif 000012
【図１１】
2010226149.tif 000013
【図１２】
2010226149.tif 000014
【図１３】
2010226149.tif 000015
【図１４】
2010226149.tif 000016
【図１５】
2010226149.tif 000017
【図１６】
2010226149.tif 000018
【図１７】
2010226149.tif 000019
【図１８】
2010226149.tif 000020
【図１９】
2010226149.tif 000021
【図２０】
2010226149.tif 000022
【図２１】
2010226149.tif 000023
【図２２】
2010226149.tif 000024
【図２３】
2010226149.tif 000025
【図２４】
2010226149.tif 000026
【図２５】
2010226149.tif 000027
【図２６】
2010226149.tif 000028
【図２７】
2010226149.tif 000029
【図２８】
2010226149.tif 000030
【図２９】
2010226149.tif 000031
【図３０】
2010226149.tif 000032
【図３１】
2010226149.tif 000033
【図３２】
2010226149.tif 000034
【図３３】
2010226149.tif 000035
【図３４】
2010226149.tif 000036
【図３５】
2010226149.tif 000037
【図３６】
2010226149.tif 000038
【図３７】
2010226149.tif 000039
【図３８】
2010226149.tif 000040
【図３９】
2010226149.tif 000041
【図４０】
2010226149.tif 000042
【図４１】
2010226149.tif 000043
【図４２】
2010226149.tif 000044
【図４３】
2010226149.tif 000045
【図４４】
2010226149.tif 000046
【図４５】
2010226149.tif 000047
【図４６】
2010226149.tif 000048
【図４７】
2010226149.tif 000049